(57)【要約】  単一の端末に対するePDCCHについて複数のサーチスペースが設定される場合でも、PUCCHリソースの増加を抑えつつ、端末間のPUCCHリソースの衝突を回避することができる基地局装置。この装置において、設定部（１０２）は、端末（２００）に対して、制御情報を割り当てる候補である、第１のサーチスペース及び第２のサーチスペースをデータ割当可能領域内に設定し、第１のサーチスペース及び第２のサーチスペースの各々は複数の制御チャネル要素によって構成され、信号割当部（１０５）は、制御情報を、第１サーチスペースおよび第２サーチスペースの各々に割り当てる。設定部（１０２）は、第１のサーチスペースを構成する複数の第１の制御チャネル要素に対して番号を昇順に割り振り、第２のサーチスペースを構成する複数の第２の制御チャネル要素に対して、複数の第１の制御チャネル要素に対して割り振られた番号よりも大きい番号又は同一番号を割り振る。
2014017016.tif 000002
【特許請求の範囲】
【請求項１】
端末装置に対して、制御情報を割り当てる候補である、第１のサーチスペース及び第２のサーチスペースを、データ割当可能領域内に設定する手段であって、前記第１のサーチスペース及び前記第２のサーチスペースの各々は複数の制御チャネル要素によって構成される、設定手段と、
前記第１のサーチスペース及び前記第２のサーチスペースの各々に割り当てられた制御情報を送信する送信手段と、
を具備し、
前記制御情報が割り当てられた制御チャネル要素の番号と、下り回線データに対する応答信号の送信に用いられる上り回線のリソースとが１対１で関連付けられ、
前記設定手段は、前記第１のサーチスペースを構成する複数の第１の制御チャネル要素に対して番号を昇順に割り振り、前記第２のサーチスペースを構成する複数の第２の制御チャネル要素に対して、前記複数の第１の制御チャネル要素に対して割り振られた番号よりも大きい番号又は同一番号を割り振る、
基地局装置。
【請求項２】
前記複数の制御チャネル要素の各々は、物理リソースにそれぞれ割り当てられ、
前記設定手段は、前記複数の第２の制御チャネル要素のうち、前記複数の第１の制御チャネル要素の中の第３の制御チャネル要素と同一の物理リソースに割り当てられた第４の制御チャネル要素に対して、前記第３の制御チャネル要素と同一番号を割り振り、前記第４の制御チャネル要素以外の制御チャネル要素に対して、前記複数の第１の制御チャネル要素に対して割り振られた番号より大きい番号を割り振る、
請求項１記載の基地局装置。
【請求項３】
前記複数の制御チャネル要素の各々は、周波数領域で分散した複数の物理リソースに割り当てられ、
前記設定手段は、前記複数の第２の制御チャネル要素のうち、割り当てられた前記複数の物理リソースのうち少なくとも１つの物理リソースが前記複数の第１の制御チャネル要素の中の第３の制御チャネル要素に割り当てられた物理リソースと同一である第４の制御チャネル要素に対して、前記第３の制御チャネル要素と同一番号を割り振り、前記第４の制御チャネル要素以外の制御チャネル要素に対して、前記複数の第１の制御チャネル要素に対して割り振られた番号より大きい番号を割り振る、
請求項１記載の基地局装置。
【請求項４】
前記第１のサーチスペース及び前記第２のサーチスペースのうち、一方のサーチスペースを構成する複数の制御チャネル要素の各々は周波数領域で単一の物理リソースに割り当てられ、他方のサーチスペースを構成する複数の制御チャネル要素の各々は周波数領域で分散した複数の物理リソースに割り当てられ、
前記単一の物理リソースを構成するリソース要素数と前記複数の物理リソースを構成するリソース要素数の合計とは同一であり、
前記一方のサーチスペースにおける、前記複数の物理リソースの数と同数の特定の制御チャネル要素は、前記特定の制御チャネル要素と同一番号が割り振られた前記他方のサーチスペースの制御チャネル要素が割り当てられたリソース要素と同一のリソース要素に割り当てられる、
請求項１記載の基地局装置。
【請求項５】
前記第１のサーチスペースは複数の端末装置が共有するサーチスペースであり、前記第２のサーチスペースは前記端末装置に個別に設定されるサーチスペースである、
請求項１記載の基地局装置。
【請求項６】
前記第１のサーチスペース及び前記第２のサーチスペースは、前記端末装置に個別に設定されるサーチスペースであって、前記第１のサーチスペースは、前記第２のサーチスペースよりも優先して使用される、
請求項１記載の基地局装置。
【請求項７】
前記端末装置に対して、プライマリセル、及び、１つ又は複数のセカンダリセルから構成される複数のコンポーネントキャリア（CC：Component Carrier）を用いて通信を行い、
前記第１のサーチスペースは、プライマリセル用の制御情報を割り当てるサーチスペースであり、前記第２のサーチスペースは、セカンダリセル用の制御情報を割り当てるサーチスペースである、
請求項１記載の基地局装置。
【請求項８】
制御情報を割り当てる候補である、第１サーチスペース及び第２サーチスペースを、データ割当可能領域内に設定する手段であって、前記第１のサーチスペース及び前記第２のサーチスペースの各々は複数の制御チャネル要素によって構成される、設定手段と、
前記第１サーチスペースおよび前記第２サーチスペースの各々に割り当てられた制御情報を受信する受信手段と、
を具備し、
前記制御情報が割り当てられた制御チャネル要素の番号と、下り回線データに対する応答信号の送信に用いられる上り回線のリソースとが１対１で関連付けられ、
前記設定手段は、前記第１のサーチスペースを構成する複数の第１の制御チャネル要素に対して番号を昇順に割り振り、前記第２のサーチスペースを構成する複数の第２の制御チャネル要素に対して、前記複数の第１の制御チャネル要素に対して割り振られた番号よりも大きい番号又は同一番号を割り振る、
端末装置。
【請求項９】
前記複数の制御チャネル要素の各々は、物理リソースにそれぞれ割り当てられ、
前記設定手段は、前記複数の第２の制御チャネル要素のうち、前記複数の第１の制御チャネル要素の中の第３の制御チャネル要素と同一の物理リソースに割り当てられた第４の制御チャネル要素に対して、前記第３の制御チャネル要素と同一番号を割り振り、前記第４の制御チャネル要素以外の制御チャネル要素に対して、前記複数の第１の制御チャネル要素に対して割り振られた番号より大きい番号を割り振る、
請求項８記載の端末装置。
【請求項１０】
前記複数の制御チャネル要素の各々は、周波数領域で分散した複数の物理リソースに割り当てられ、
前記設定手段は、前記複数の第２の制御チャネル要素のうち、割り当てられた前記複数の物理リソースのうち少なくとも１つの物理リソースが前記複数の第１の制御チャネル要素の中の第３の制御チャネル要素に割り当てられた物理リソースと同一である第４の制御チャネル要素に対して、前記第３の制御チャネル要素と同一番号を割り振り、前記第４の制御チャネル要素以外の制御チャネル要素に対して、前記複数の第１の制御チャネル要素に対して割り振られた番号より大きい番号を割り振る、
請求項８記載の端末装置。
【請求項１１】
前記第１のサーチスペース及び前記第２のサーチスペースのうち、一方のサーチスペースを構成する複数の制御チャネル要素の各々は周波数領域で単一の物理リソースに割り当てられ、他方のサーチスペースを構成する複数の制御チャネル要素の各々は周波数領域で分散した複数の物理リソースに割り当てられ、
前記単一の物理リソースを構成するリソース要素数と前記複数の物理リソースを構成するリソース要素数の合計とは同一であり、
前記一方のサーチスペースにおける、前記複数の物理リソースの数と同数の特定の制御チャネル要素は、前記特定の制御チャネル要素と同一番号が割り振られた前記他方のサーチスペースの制御チャネル要素が割り当てられたリソース要素と同一のリソース要素に割り当てられる、
請求項８記載の端末装置。
【請求項１２】
前記第１のサーチスペースは複数の端末装置が共有するサーチスペースであり、前記第２のサーチスペースは前記端末装置に個別に設定されるサーチスペースである、
請求項８記載の端末装置。
【請求項１３】
前記第１のサーチスペース及び前記第２のサーチスペースは、前記端末装置に個別に設定されるサーチスペースであって、前記第１のサーチスペースは、前記第２のサーチスペースよりも優先して使用される、
請求項８記載の端末装置。
【請求項１４】
前記端末装置に対して、プライマリセル、及び、１つ又は複数のセカンダリセルから構成される複数のコンポーネントキャリア（CC：Component Carrier）を用いて通信を行い、
前記第１のサーチスペースは、プライマリセル用の制御情報を割り当てるサーチスペースであり、前記第２のサーチスペースは、セカンダリセル用の制御情報を割り当てるサーチスペースである、
請求項８記載の端末装置。
【請求項１５】
端末装置に対して、制御情報を割り当てる候補である、第１のサーチスペース及び第２のサーチスペースを、データ割当可能領域内に設定し、前記第１のサーチスペース及び前記第２のサーチスペースの各々は複数の制御チャネル要素によって構成され、
前記第１のサーチスペース及び前記第２のサーチスペースの各々に割り当てられた制御情報を送信し、
前記制御情報が割り当てられた制御チャネル要素と、下り回線データに対する応答信号の送信に用いられる上り回線のリソースとが１対１で関連付けられ、
前記設定手段は、前記第１のサーチスペースを構成する複数の第１の制御チャネル要素に対して番号を昇順に割り振り、前記第２のサーチスペースを構成する複数の第２の制御チャネル要素に対して、前記複数の第１の制御チャネル要素に対して割り振られた番号よりも大きい番号又は同一番号を割り振る、
送信方法。
【請求項１６】
制御情報を割り当てる候補である、第１サーチスペース及び第２サーチスペースを、データ割当可能領域内に設定し、前記第１のサーチスペース及び前記第２のサーチスペースの各々は複数の制御チャネル要素によって構成され、
前記第１サーチスペースおよび前記第２サーチスペースの各々に割り当てられた制御情報を受信し、
前記制御情報が割り当てられた制御チャネル要素の番号と、下り回線データに対する応答信号の送信に用いられる上り回線のリソースとが１対１で関連付けられ、
前記設定手段は、前記第１のサーチスペースを構成する複数の第１の制御チャネル要素に対して番号を昇順に割り振り、前記第２のサーチスペースを構成する複数の第２の制御チャネル要素に対して、前記複数の第１の制御チャネル要素に対して割り振られた番号よりも大きい番号又は同一番号を割り振る、
受信方法。
【発明の詳細な説明】
【技術分野】
【０００１】
本発明は、基地局装置、端末装置、送信方法、及び受信方法に関する。
【背景技術】
【０００２】
近年、セルラ移動体通信システムにおいては、情報のマルチメディア化に伴い、音声データのみならず、静止画像データ及び動画像データ等の大容量データを伝送することが一般化しつつある。また、LTE-Advanced（Long Term Evolution Advanced）では、広帯域の無線帯域、Multiple-Input Multiple-Output（MIMO）伝送技術、干渉制御技術を利用して高伝送レートを実現する検討が盛んに行われている。【０００３】
さらに、M2M（Machine to Machine）通信等、様々な機器が無線通信端末として導入されること、及び、MIMO伝送技術により端末の多重数が増加することを考慮すると、制御信号に使用されるPDCCH（Physical Downlink Control CHannel：下り回線制御チャネル）が割り当てられる領域（つまり、「PDCCH領域」）のリソース不足が懸念される。なお、PDCCHによって、例えば、下り回線（DL：Downlink）のデータ割当を指示するDL grant（DL assignmentとも呼ばれる）、及び、上り回線（UL:Uplink）のデータ割当を指示するUL grantが送信される。DL grantによって、このDL grantが送信されたサブフレーム内のリソースが端末に対して割り当てられたことが通知される。一方、UL grantに関しては、UL grantによって予め定められている対象サブフレーム内のリソースが、端末に対して割り当てられたことが通知される。PDCCH領域のリソース不足によって制御信号（PDCCH）が割り当てできなくなると、端末に対する下り回線データの割当が行えない。このため、下り回線データが割り当てられるリソース領域（つまり、「PDSCH（Physical Downlink Shared CHannel）領域」）が空いていても使用することができずに、システムスループットが低下してしまう恐れがある。【０００４】
PDCCH領域のリソース不足を解消する方法として、無線通信基地局装置（以下、「基地局」と省略する）配下の無線通信端末装置（以下、「端末」と省略する。UE（User Equipment）と呼ばれることもある）に向けた制御信号を、データ領域にも配置することが検討されている。そして、この基地局配下の端末に向けた制御信号が割り当てられるリソース領域は、Enhanced PDCCH（ePDCCH）領域、New-PDCCH（N-PDCCH）領域、又は、X-PDCCH領域などと呼ばれる。このようにデータ領域に制御信号（つまり、ePDCCH）を割り当てることにより、セルエッジ付近に存在する端末へ送信される制御信号に対する送信電力制御、又は、送信される制御信号によって他のセルへ与えられる干渉制御若しくは他のセルから自セルへ与えられる干渉制御が、実現可能となる。【０００５】
ePDCCHは、eCCE（enhanced Control Channel Elements）と呼ばれる論理リソース（logical resource）に割り当てられた後、物理リソースに割り当てられることが検討されている（例えば、図１参照）。LTE及びLTE-Advancedでは、１RB（Resource Block）は、周波数方向には１２個のサブキャリアを有し、時間方向には0.5msecの幅を有する（例えば、非特許文献１参照）。RBを時間方向で２つ組み合わせた単位は、RBペア（RB pair）と呼ばれる（例えば、図１参照）。つまり、RBペアは、周波数方向には１２個のサブキャリアを有し、時間方向には1msecの幅を有する。また、RBペアが周波数軸上の１２個のサブキャリアの塊を表す場合、RBペアは、単にRBと呼ばれることがある。また、物理レイヤでは、RPペアは、PRBペア（Physical RB pair）とも呼ばれる。また、１個のサブキャリアと１つのOFDMシンボルとにより規定される単位が、リソース要素（RE:Resource Element）である（図１参照）。【０００６】
また、ePDCCHの送信に使用されるeCCE数はアグリゲーションレベル（aggregation level）と呼ばれる。基地局は、基地局と端末との間の回線品質に応じてアグリゲーションレベルを決定する。【０００７】
また、ePDCCHが割り当てられるリソース領域の割当候補（ePDCCH候補）の集合はサーチスペース（Search Space）と呼ばれる。ePDCCHに対するサーチスペースは、上位レイヤのシグナリングによって、端末個別に設定される。上位レイヤでのシグナリング方法としては、物理リソースの単位であるPRBペアのうち、サーチスペースに対応するPRBペアの番号を指定することが検討されている。端末は、上位レイヤのシグナリングによって通知されるPRBペア番号と、予め別途定められている設定パターン（アグリゲーションレベル、アグリゲーションレベル毎のePDCCH候補数、シフトパターン等）とによって特定されるPRBペアを、自機のサーチスペースとして認識する。端末は、自機のサーチスペースをモニタすることにより、自機宛のePDCCHを検出する。【０００８】
また、ePDCCHの割当方法として、ePDCCHを周波数帯域上の互いに近い位置にまとめて割り当てる「ローカライズド（localized）割当」と、ePDCCHを周波数帯域上に分散させて割り当てる「ディストリビューテッド（distributed）割当」が検討されている（例えば、図１参照）。localized 割当は、周波数スケジューリングゲインを得るための割当方法であり、回線品質情報に基いて回線品質の良いリソースにePDCCHを割り当てることができる。distributed割当は、周波数軸上にePDCCHを分散させて周波数ダイバーシチゲインを得ることができる。LTE-Advancedでは、localized割当用のサーチスペース及びdistributed割当用のサーチスペースの双方を設定することが考えられる。【０００９】
localized割当では、PRBペアを4、3または2分割した単位に各eCCEが割り当てられることが考えられている。また、Localized割当において、アグリゲーションレベルが２以上の場合、ePDCCHが割当てられる複数のeCCEは同一のPRBペアに割り当てられる。ただし、アグリゲーションレベルがPRBペアの分割数よりも大きい場合、eCCEは複数のPRBペアに割り当てられる。【００１０】
一方、distributed割当では、eCCEは複数のPRBペアに割り当てられる。PRBペアを分割したリソース（REのグループ）をeREG（enhanced Resource Element Group）とし、１つのeCCEは、異なるPRBペアに属する複数のeREGに割り当てられる。PRBペアをeREGに分割する方法として、サブキャリア単位で分割する方法、又は、リソース（RE）のグループを生成して分割する方法等が考えられる。また、PRBペアの分割数（PRBペアあたりのeREG数）は、8、12、16、24、36などが考えられている（例えば、図２参照。分割数8,16,36の場合）。【００１１】
また、基地局は、複数の端末のサーチスペースを同一PRBペアに設定できる。ePDCCHを送信する最小単位は、PRBペアよりも小さいリソース領域となるので、複数の端末のePDCCHを同一PRBペア内の同一又は異なるリソース領域に配置することで、ePDCCHに使用するPRBペア数を削減でき、データに使用するPRBペア数を増加できる。したがって、複数の端末で共有できるサーチスペース設定方法が求められている。【００１２】
また、LTE-Advancedでは、ePDCCHについて、各端末に対して複数のサーチスペースが設定されることが検討されている。例えば、各端末に対して複数のePDCCHのサーチスペースが設定されるケースとして、以下の（１）〜（３）が挙げられる。【００１３】
（１）Commonサーチスペース及びUE specificサーチスペース
特別な制御信号の送信に使用されるCommonサーチスペースと、端末個別のDL assignment及びUL grantが送信されるUE specificサーチスペースとが各端末に設定される。特別な制御信号とは、システムインフォメーション、ページング、RACH応答、PUDCCH用パワーコントロール、PUDSCH用パワーコントロールなどがあり、それぞれSI-RNTI、P-RNTI、RA-RNTI、TPC-PUCCH-RNTI、TPC-PUSCH-RNTIでマスクされた制御信号が送信される。【００１４】
（２）２つのUE specificサーチスペース
各端末個別の２つのUE specificサーチスペース（例えば、サーチスペース１及びサーチスペース２）が設定される（例えば、非特許文献３参照）。例えば、サーチスペース１は、サーチスペース２よりもロバストな送信に使用される。ロバストな送信は、他セルとの干渉制御をしているPRBペアを使用すること、アグリゲーションレベルの高いePDCCH候補の位置を設定すること、または、周波数、空間、時間ダイバーシチオーダが高いePDCCH候補の位置を設定すること、等により達成される。【００１５】
２つのサーチスペースのうち、サーチスペース１を複数の端末間で共有するように割り当てることで、サブフレームあたりの端末数が少ない場合にはサーチスペース１のみが使用され、端末数が増加した場合にサーチスペース２が追加で使用される、という運用が可能となる。このようにすると、端末数が少ない場合には、ePDCCHに使用されるPRBペア数を削減できるので、データ送信に使用できるPRBペア数を増加できる。また、この際、サーチスペース２を端末毎に異ならせることで、サーチスペース２を使用させる端末を選択することで、ePDCCHに使用されるPRBペアを変更できるので、PRBペア使用の柔軟性（flexibility）が向上する。【００１６】
また、サーチスペース１をdistributed割当とし、サーチスペース２をlocalized割当としてもよい。この場合、フィードバック情報の信頼性が高い場合にはサーチスペース２（localized割当）を使用し、端末固有に特性の良いPRBペアを割り当てることができる。また、フィードバック情報の信頼性が低い場合にはサーチスペース１（distributed割当）の使用に切り替えて、周波数ダイバーシチゲインを得つつ、他の端末とPRBペアを共有することで、PRBペアの利用効率を向上できる。【００１７】
（３）帯域拡張機能（CA：Carrier Aggregation）及びクロスキャリアスケジューリング
CAは、LTE-Advancedにおいて新規に導入された機能であり、Component Carrier（CC）と呼ばれるLTEのシステム帯域を複数束ねることにより最大伝送レートの向上を実現する（非特許文献２参照）。端末が複数のCCを用いる場合、１つのCCがPrimary Cell（PCell）として設定され、残りのCCがSecondary CC（SCell）として設定される。PCell及びSCellの設定は端末毎に異なってもよい。また、クロスキャリアスケジューリングは、PDCCHにおいてCC単位でセル間干渉制御を行うリソース割当方法である。クロスキャリアスケジューリングでは、基地局は、或るCCのPDCCH領域で他のCCのDL grant及びUL grantを送信することができる。クロスキャリアスケジューリングを適用すると、隣接するセル間で異なるCCからPDCCHを送信することにより、PDCCHのセル間干渉を低減できる。【００１８】
CA適用時にクロスキャリアスケジューリングが設定された場合、複数のCC用の制御信号が１つのCCにまとめられ、複数のCC（PCell及びSCell）の各々に対応する複数のサーチスペースが設定される。【００１９】
以上、端末に対して複数のePDCCHのサーチスペースが設定されるケース（１）〜（３）について説明した。【００２０】
また、LTEでは、下り回線データ割当に対する応答信号（ACK/NACK信号。A/N信号）のフィードバック方法（A/Nマッピング方法）として、１コードワード（CW：Code Word）処理時のA/Nマッピング（PUCCH(Physical Uplink Control CHannel) format 1a : BPSK)と、2CW処理時のA/Nマッピング（PUCCH format 1b : QPSK）とが採用されている。【００２１】
PUCCHのリソース（PUCCHリソース）は、PDCCHを用いてDL assignmentが送信された場合、当該DL assignmentの送信に用いられたリソースであるCCE（Control Channel Element）のうち、先頭CCEのCCEインデックス（CCE index）に１対１で関連付けられて定められている。このPUCCHリソースをインプリシット（implicit）リソースと呼ぶ。CCEは、PDCCHのリソース（PDCCHリソース）を分割して生成されるリソースであり、互いに重複しないCCEインデックスが付されている。また、セル内の端末間でCCEインデックスは共通に認識されている。【００２２】
DL assignment及びUL grantは、設定されるアグリゲーションレベルに応じて、１つのCCE（Aggregation level：1）、または、複数のCCE（Aggregation level：2,4,8）に割り当てられる。制御情報が複数のCCEに割り当てられる場合、連続するCCEインデックスのCCEに割り当てられる。【００２３】
LTEでは、CRS（Cell-specific Reference Signal）を参照信号としてPDCCHは復調される。また、使用されるCRSのアンテナポートはセル内の端末間で共通である。したがって、複数のDL assignmentまたはUL grantを同一のCCEで送信するMU-MIMO（Multi user MIMO）を適用することは難しい。【００２４】
また、セルあたり１つのPDCCH領域が設定されるので、セル内の端末間では、DL assignment及びUL grantが割り当てられるCCEのCCEインデックスが重複することはない。つまり、セル内の端末が当該PDCCH領域を使用する場合には、CCEインデックスに関連付けられているPUCCHリソースの衝突は起こらないように設計されている。【００２５】
ただし、例外として、PUCCHを２アンテナポートで送信する場合、及び、PUCCHに対してチャネルセレクション（Channel Selection）を適用する場合には、１つのDL assignmentに使用されるCCEインデックスから２つのPUCCHリソースがインプリシットに指定される。例えば、先頭CCEインデックス#Nと、次のCCEインデックス#N+1とにそれぞれ関連付けられたPUCCHリソースが使用される。ここで、CCEインデックス#N+1のCCEを用いて他の端末のDL assignment が割当てられると、端末間で使用されるPUCCHリソースの衝突が起こる。このPUCCHリソースの衝突は、基地局がCCEインデックス#N+1をDL assignmentの割当に使用しないこと、又は、CCEインデックス#N+1にはUL grantを割り当てること、によって回避できる。また、２つのCWの送信を指示するDL assignmentは、アグリゲーションレベルが２以上となることが多いため、PUCCHリソースの衝突はそれほど深刻な問題ではない。このように、PDCCHでは、使用されるCCEインデックスが同一セル内で衝突することはないので、PUCCHリソースの衝突は大きな問題にはなっていない。
【先行技術文献】
【非特許文献】
【００２６】
【非特許文献１】3GPP TS 36.211 V10.4.0, "Physical Channels and Modulation"
【非特許文献２】3GPP TS 36.213 V10.4.0, "Physical layer procedures"
【非特許文献３】R1-122979, "Way forward on ePDCCH search space"
【発明の概要】
【発明が解決しようとする課題】
【００２７】
上述したePDCCHにおいても、PDCCHと同様に、eCCEインデックスとPUCCHリソースとを１対１で関連付ける、Implicit割当が検討されている（例えば、図３参照）。【００２８】
しかしながら、上述したように、ePDCCHのサーチスペースは端末個別に上位レイヤのシグナリングにて設定されることが考えられている。したがって、ePDCCHのサーチスペースとして指示されたPRBペア番号に対応するeCCEインデックスは、端末毎に異なる可能性がある。eCCEインデックスとPUCCHリソースとの関連付けを端末間で共有するにもかかわらず、PRBペア番号に対応するeCCEインデックスが端末間で異なると、eCCEインデックスとPUCCHリソースのImplicit割当において、eCCEインデックスの衝突によってPUCCHリソースが衝突する場合がある。【００２９】
図４は、eCCEインデックスの衝突によってPUCCHリソースが衝突する場合の一例を示す。図４では、ePDCCHに対してlocalized割当が適用され、ＵＥ１とＵＥ２とにそれぞれサーチスペース１（ＳＳ１）及びサーチスペース２（ＳＳ２）が設定されている。サーチスペース１はＵＥ１とＵＥ２とで共有され、PRBペア#2、8、14、20に割り当てられている。また、ＵＥ１のサーチスペース２は、PRBペア#0、1、22、23に割り当てられ、ＵＥ２のサーチスペース２はPRBペア#3、9、15、21に割り当てられている。なお、図４では、PRBペアあたり４個のCCEが割り当てられる。【００３０】
端末（ＵＥ１及びＵＥ２）は、自機に設定されたサーチスペースに対応するPRBペア番号の昇順に、eCCEインデックスを割り振る。したがって、ＵＥ１は、PRBペア#0、1、2、8、14、20、22、23に自機宛のePDCCHが送信される可能性があると認識し、PRBペア#0、1、2、8、14、20、22、23の順にeCCEインデックス（CCE#0〜CCE#31）を割り振る。同様に、ＵＥ２は、PRBペア#2、3、8、9、14、15、20、21の順にeCCEインデックス（CCE#0〜CCE#31）を割り振る。図４に示すように、ＵＥ１とＵＥ２とでは、同一PRBペア番号に対応するeCCEインデックスが異なる場合がある。すなわち、ＵＥ１とＵＥ２とでは、同一eCCEインデックスに対応するPRBペア番号が異なる場合がある。【００３１】
例えば、図４では、ＵＥ１のeCCE#12はPRBペア#8に割り当てられるのに対して、ＵＥ２のeCCE#12はPRBペア#9に割り当てられる。従って、基地局は、ＵＥ１及びＵＥ２の双方に対してeCCE#12を用いてePDCCHを同時に送信できる。しかしながら、ＵＥ１及びＵＥ２では、eCCE#12に関連付けられた同一のPUCCHリソース（図３ではPUCCH#12）が用いられるので、ＵＥ１とＵＥ２との間でPUCCHリソースの衝突が発生してしまう。よって、図４においてＵＥ１及びＵＥ２に対してeCCE#12を同時に使用するには、ＵＥ１が用いるeCCE#12とＵＥ２が用いるeCCE#12とに対して互いに異なるPUCCHリソースをそれぞれ関連付ける必要がある。【００３２】
このように、１つの端末に対して複数のePDCCH用サーチスペースが設定される場合、端末間で使用されるPUCCHリソースの衝突を回避するためには、PUCCHリソースが増加してしまう。このため、上り回線では、上り回線データ（PUSCH）の送信に使用できるリソース（PUSCHリソース）が低減し、上り回線のスループットが低減してしまう。【００３３】
本発明の目的は、単一の端末に対するePDCCHについて複数のサーチスペースが設定される場合でも、PUCCHリソースの増加を抑えつつ、端末間のPUCCHリソースの衝突を回避することができる基地局装置、端末装置、送信方法、及び受信方法を提供することである。
【課題を解決するための手段】
【００３４】
本発明の一態様の基地局装置は、端末装置に対して、制御情報を割り当てる候補である、第１のサーチスペース及び第２のサーチスペースを、データ割当可能領域内に設定する手段であって、前記第１のサーチスペース及び前記第２のサーチスペースの各々は複数の制御チャネル要素によって構成される、設定手段と、前記第１のサーチスペース及び前記第２のサーチスペースの各々に割り当てられた制御情報を送信する送信手段と、を具備し、前記制御情報が割り当てられた制御チャネル要素の番号と、下り回線データに対する応答信号の送信に用いられる上り回線のリソースとが１対１で関連付けられ、前記設定手段は、前記第１のサーチスペースを構成する複数の第１の制御チャネル要素に対して番号を昇順に割り振り、前記第２のサーチスペースを構成する複数の第２の制御チャネル要素に対して、前記複数の第１の制御チャネル要素に対して割り振られた番号よりも大きい番号又は同一番号を割り振る構成を採る。【００３５】
本発明の一態様の端末装置は、制御情報を割り当てる候補である、第１サーチスペース及び第２サーチスペースを、データ割当可能領域内に設定する手段であって、前記第１のサーチスペース及び前記第２のサーチスペースの各々は複数の制御チャネル要素によって構成される、設定手段と、前記第１サーチスペースおよび前記第２サーチスペースの各々に割り当てられた制御情報を受信する受信手段と、を具備し、前記制御情報が割り当てられた制御チャネル要素の番号と、下り回線データに対する応答信号の送信に用いられる上り回線のリソースとが１対１で関連付けられ、前記設定手段は、前記第１のサーチスペースを構成する複数の第１の制御チャネル要素に対して番号を昇順に割り振り、前記第２のサーチスペースを構成する複数の第２の制御チャネル要素に対して、前記複数の第１の制御チャネル要素に対して割り振られた番号よりも大きい番号又は同一番号を割り振る構成を採る。【００３６】
本発明の一態様の送信方法は、端末装置に対して、制御情報を割り当てる候補である、第１のサーチスペース及び第２のサーチスペースを、データ割当可能領域内に設定し、前記第１のサーチスペース及び前記第２のサーチスペースの各々は複数の制御チャネル要素によって構成され、前記第１のサーチスペース及び前記第２のサーチスペースの各々に割り当てられた制御情報を送信し、前記制御情報が割り当てられた制御チャネル要素と、下り回線データに対する応答信号の送信に用いられる上り回線のリソースとが１対１で関連付けられ、前記設定手段は、前記第１のサーチスペースを構成する複数の第１の制御チャネル要素に対して番号を昇順に割り振り、前記第２のサーチスペースを構成する複数の第２の制御チャネル要素に対して、前記複数の第１の制御チャネル要素に対して割り振られた番号よりも大きい番号又は同一番号を割り振る。【００３７】
本発明の一態様の受信方法は、制御情報を割り当てる候補である、第１サーチスペース及び第２サーチスペースを、データ割当可能領域内に設定し、前記第１のサーチスペース及び前記第２のサーチスペースの各々は複数の制御チャネル要素によって構成され、前記第１サーチスペースおよび前記第２サーチスペースの各々に割り当てられた制御情報を受信し、前記制御情報が割り当てられた制御チャネル要素の番号と、下り回線データに対する応答信号の送信に用いられる上り回線のリソースとが１対１で関連付けられ、前記設定手段は、前記第１のサーチスペースを構成する複数の第１の制御チャネル要素に対して番号を昇順に割り振り、前記第２のサーチスペースを構成する複数の第２の制御チャネル要素に対して、前記複数の第１の制御チャネル要素に対して割り振られた番号よりも大きい番号又は同一番号を割り振る。
【発明の効果】
【００３８】
本発明によれば、単一の端末に対するePDCCHについて複数のサーチスペースが設定される場合でも、PUCCHリソースの増加を抑えつつ、端末間のPUCCHリソースの衝突を回避することができる。
【図面の簡単な説明】
【００３９】
【図１】eCCE及びPRBペアの説明に供する図
【図２】eREGの設定例を示す図
【図３】eCCEインデックスとPUCCHリソースとの関連付けを示す図
【図４】複数の端末間のeCCEインデックスとPRBペアとの対応関係における課題の説明に供する図
【図５】本発明の実施の形態１に係る基地局の要部構成を示すブロック図
【図６】本発明の実施の形態１に係る端末の要部構成を示すブロック図
【図７】本発明の実施の形態１に係る基地局の構成を示すブロック図
【図８】本発明の実施の形態１に係る端末の構成を示すブロック図
【図９】本発明の実施の形態１に係るサーチスペース設定を示す図
【図１０】本発明の実施の形態２に係るサーチスペース設定を示す図
【図１１】本発明の実施の形態２に係るその他のサーチスペース設定を示す図
【図１２】ePDCCHのdistributed割当の一例を示す図（PRBペアの分割数：８）
【図１３】ePDCCHのdistributed割当の一例を示す図（PRBペアの分割数：１６）
【図１４】本発明の実施の形態３に係るサーチスペース設定を示す図（PRBペアの分割数：８）
【図１５】本発明の実施の形態３に係るサーチスペース設定を示す図（PRBペアの分割数：１６）
【図１６】本発明の実施の形態４に係るPRBペアにおけるeCCE割当の課題の説明に供する図
【図１７】本発明の実施の形態４に係るサーチスペース設定を示す図（PRBペアの分割数：１６）
【図１８】本発明の実施の形態４に係るサーチスペース設定を示す図（PRBペアの分割数：８）
【図１９】本発明の実施の形態４に係るその他のサーチスペース設定を示す図
【発明を実施するための形態】
【００４０】
以下、本発明の実施の形態について図面を参照して詳細に説明する。なお、実施の形態において、同一の構成要素には同一の符号を付し、その説明は重複するので省略する。
【００４１】
［実施の形態１］
［通信システムの概要］
本実施の形態に係る通信システムは、基地局１００と端末２００とを有する。この通信システムは、例えば、LTE-Advancedシステムである。そして、基地局１００は、例えば、LTE-Advancedシステムに対応する基地局であり、端末２００は、例えば、LTE-Advancedシステムに対応する端末である。
【００４２】
なお、基地局１００及び端末２００は、PDCCH領域又はePDCCH領域を用いた制御情報（DL assignment又はUL grant）の送受信が可能であるが、以下の説明では、説明を簡略するために、ePDCCH領域における制御情報の送受信のみについて説明する。
【００４３】
図５は、本実施の形態に係る基地局１００の要部構成を示すブロック図である。
【００４４】
基地局１００において、設定部１０２は、端末２００に対して、制御情報を割り当てる候補である、第１のサーチスペース及び第２のサーチスペースを、データ割当可能領域（PDSCH領域）内に設定する。第１のサーチスペース及び第２のサーチスペースの各々は複数の制御チャネル要素（eCCE）によって構成される。
【００４５】
信号割当部１０５は、制御情報（DL assignment又はUL grant）を、設定部１０２で設定された上記第１サーチスペースおよび第２サーチスペースの各々に割り当てる。これにより、第１サーチスペースおよび第２サーチスペースの各々に割り当てられた制御情報が送信される。
【００４６】
図６は、本実施の形態に係る端末２００の要部構成を示すブロック図である。
【００４７】
端末２００において、設定部２０５は、制御情報を割り当てる候補である、第１のサーチスペース及び第２のサーチスペースを、データ割当可能領域（PDSCH領域）内に設定する。
【００４８】
制御信号受信部２０６は、設定部２０５で設定された上記第１サーチスペースおよび第２サーチスペースの各々に割り当てられた制御情報を抽出する。これにより、基地局１００から送信された制御情報が受信される。
【００４９】
また、基地局１００及び端末２００において、制御情報が割り当てられた制御チャネル要素の番号（eCCEインデックス）と、下り回線データ（PDCCH）に対する応答信号の送信に用いられる上り回線のリソース（PUCCHリソース）とが１対１で関連付けられる。設定部１０２及び設定部２０５は、第１のサーチスペースを構成する複数の第１の制御チャネル要素に対して番号を昇順に割り振り、第２のサーチスペースを構成する複数の第２の制御チャネル要素に対して、複数の第１の制御チャネル要素に対して割り振られた番号よりも大きい番号又は同一番号を割り振る。
【００５０】
［基地局１００の構成］
図７は、本実施の形態に係る基地局１００の構成を示すブロック図である。図７において、基地局１００は、割当情報生成部１０１と、設定部１０２と、誤り訂正符号化部１０３と、変調部１０４と、信号割当部１０５と、送信部１０６と、受信部１０７と、復調部１０８と、誤り訂正復号部１０９と、Ａ／Ｎ信号復調部１１０とを有する。
【００５１】
割当情報生成部１０１は、送信すべき下り回線データ信号（DLデータ信号）、及び、上り回線（UL）に割り当てる上り回線データ信号（ULデータ信号）が有る場合、データ信号を割り当てるリソース（RB）を決定し、割当情報(DL assignmentおよびUL grant)を生成する。DL assignmentは、DLデータ信号の割当に関する情報を含む。UL grantは、端末２００から送信されるULデータ信号の割当リソースに関する情報を含む。DL assignmentは信号割当部１０５へ出力され、UL grantは信号割当部１０５及び受信部１０７へ出力される。
【００５２】
設定部１０２は、各端末２００に対して、１つ又は複数のePDCCH用のサーチスペースを設定する。具体的には、設定部１０２は、ePDCCH用のサーチスペースを配置するPRBペア番号、アグリゲーションレベル毎のeCCEインデックス、当該サーチスペース（ePDCCH）の割当方法（localized割当又はdistributed割当）を端末２００毎に設定する。ePDCCH用サーチスペースは複数の割当候補（ePDCCH候補）によって構成される。各「割当候補」はアグリゲーションレベルと同数のeCCEから構成される。また、localized割当では、eCCEは、各PRBペアが所定数に分割（例えば、４分割）されることによって得られる。一方、distributed割当では、eCCEを複数のPRBペアに割り当てるため、１CCEを異なるPRBペアに属する複数のeREG（PRBペアを分割したリソース）に割り当てる。
【００５３】
設定部１０２は、端末２００に対して複数のePDCCH用サーチスペースを設定する場合、サーチスペース毎にeCCEインデックスを割り当てる。また、設定部１０２は、複数のサーチスペースに割り当てられたPRBペア番号が同一である場合、当該PRBペアについて、サーチスペース番号の低いサーチスペースのeCCEインデックスに従って、他のサーチスペースのeCCEインデックスを割り振る。設定部１０２におけるサーチスペース設定方法の詳細については後述する。
【００５４】
設定部１０２は、設定したサーチスペースに関する情報（以下では、「サーチスペース情報」と呼ばれることがある）を信号割当部１０５へ出力する。サーチスペース情報には、例えば、PRBペア番号、eCCEインデックス、ePDCCHの割当方法等が含まれる。また、設定部１０２は、サーチスペースに設定されたPRBペアに関する情報、及びePDCCHの割当方法に関する情報を制御情報として誤り訂正符号化部１０３へ出力する。なお、ePDCCHの割当方法としてlocalized割当又はdistributed割当が予め設定されている場合には、ePDCCHの割当方法に関する情報は必要ない。
【００５５】
誤り訂正符号化部１０３は、送信データ信号（DLデータ信号）、及び、設定部１０２から受け取る制御情報を入力とし、入力された信号を誤り訂正符号化し、変調部１０４へ出力する。
【００５６】
変調部１０４は、誤り訂正符号化部１０３から受け取る信号に対して変調処理を施し、変調後のデータ信号を信号割当部１０５へ出力する。
【００５７】
信号割当部１０５は、割当情報生成部１０１から受け取る割当情報（DL assignment及びUL grant）を、設定部１０２から受け取るサーチスペース情報に示されるPRBペア番号に対応するeCCE（割当候補単位のeCCE）のうちのいずれかに割り当てる。また、信号割当部１０５は、変調部１０４から受け取るデータ信号を、割当情報生成部１０１から受け取る割当情報（DL assignment）に対応する下り回線リソースに割り当てる。
【００５８】
こうして割当情報及びデータ信号が所定のリソースに割り当てられることにより、送信信号が形成される。形成された送信信号は、送信部１０６へ出力される。また、信号割当部１０５は、DL assignmentの送信に使用したeCCEのeCCEインデックスを受信部１０７へ通知する。
【００５９】
送信部１０６は、入力信号に対してアップコンバート等の無線送信処理を施し、アンテナを介して端末２００へ送信する。
【００６０】
受信部１０７は、端末２００から送信された信号をアンテナを介して受信し、復調部１０８へ出力する。具体的には、受信部１０７は、割当情報生成部１０１から受け取ったUL grantが示すリソースに対応する信号を受信信号から分離し、分離された信号に対してダウンコンバート等の受信処理を施した後に復調部１０８へ出力する。また、受信部１０７は、信号割当部１０５から受け取ったeCCEインデックスに関連付けられたPUCCHリソースに対応する信号を受信信号から分離し、分離された信号をＡ／Ｎ信号復調部１１０に出力する。
【００６１】
復調部１０８は、入力信号に対して復調処理を施し、得られた信号を誤り訂正復号部１０９へ出力する。
【００６２】
誤り訂正復号部１０９は、入力信号を復号し、端末２００からの受信データ信号を得る。
【００６３】
Ａ／Ｎ信号復調部１１０は、受信部１０７から受け取った信号に対して復調処理を施し、得られたＡ／Ｎ信号に対してＡ／Ｎ判定処理（ＡＣＫであるかＮＡＣＫであるかを判定）を行い、判定結果を出力する。
【００６４】
［端末２００の構成］
図８は、本実施の形態に係る端末２００の構成を示すブロック図である。図８において、端末２００は、受信部２０１と、信号分離部２０２と、復調部２０３と、誤り訂正復号部２０４と、設定部２０５と、制御信号受信部２０６と、誤り訂正符号化部２０７と、変調部２０８と、信号割当部２０９と、送信部２１０とを有する。
【００６５】
受信部２０１は、基地局１００から送信された信号をアンテナを介して受信し、ダウンコンバート等の受信処理を施した後に信号分離部２０２へ出力する。
【００６６】
信号分離部２０２は、受信部２０１から受け取る受信信号のうち、リソース割当に関する制御信号を抽出し、抽出された信号を制御信号受信部２０６へ出力する。また、信号分離部２０２は、制御信号受信部２０６から出力されたDL assignmentが示すデータリソースに対応する信号（つまり、DLデータ信号）を受信信号から抽出し、抽出された信号を復調部２０３へ出力する。
【００６７】
復調部２０３は、信号分離部２０２から出力された信号を復調し、当該復調された信号を誤り訂正復号部２０４へ出力する。
【００６８】
誤り訂正復号部２０４は、復調部２０３から出力された復調信号を復号し、得られた受信データ信号を出力する。誤り訂正復号部２０４は、特に、基地局１００から制御信号として送信された、「サーチスペースに設定されたPRBペアに関する情報」を設定部２０５へ出力する。また、誤り訂正復号部２０４は、復号後の受信データ信号に誤りが含まれているか否かを、例えばCRC（Cyclic Redundancy Check）を用いて判定し、判定結果（ＡＣＫまたはＮＡＣＫ）を示すＡ／Ｎ信号を生成する。Ａ／Ｎ信号は、信号割当部２０９へ出力される。
【００６９】
設定部２０５は、ePDCCHを使用する自機（端末２００）に設定されたサーチスペースを特定する。例えば、設定部２０５は、まず、誤り訂正復号部２０４から受け取る情報に基づいて、サーチスペースに設定するPRBペアを特定する。次いで、設定部２０５は、PRBペアに対応するサーチスペースのeCCEインデックスを決定する。この際、設定部２０５は、複数のePDCCH用サーチスペースが設定された場合、サーチスペース毎にeCCEインデックスを割り振る。また、設定部２０５は、複数のサーチスペースに割り当てられたPRBペア番号が同一の場合、当該PRBペアについて、サーチスペース番号の低いサーチスペースのeCCEインデックスに従って、他のサーチスペースのCCEインデックスを割り振る。また、設定部２０５は、端末２００毎に予め定められている基地局１００と端末２００との間の共通ルールに従って、アグリゲーション毎にどのeCCEインデックスがePDCCH候補に設定されるかを特定する。例えば、設定部２０５は、UE ID（端末個別のID）に基づいて、アグリゲーションレベル毎のePDCCH候補となるeCCEインデックスを決定する。次いで、設定部２０５は、サーチスペースとして設定されたPRBペアおよびCCEに関する情報を制御信号受信部２０６へ出力する。なお、設定部２０５におけるサーチスペース設定方法の詳細については後述する。
【００７０】
制御信号受信部２０６は、信号分離部２０２から受け取る信号成分において、設定部２０５から受け取る情報に示されるPRBペアに対応するCCEに対してブラインド復号を行うことにより、自機宛の制御信号（DL assignment又はUL grant）を検出する。すなわち、制御信号受信部２０６は、設定部２０５で設定されたサーチスペースを構成する複数の割当候補の内の１つに割り当てられた制御信号を受信する。制御信号受信部２０６は、検出した自機宛のDL assignmentを信号分離部２０２へ出力し、検出した自機宛のUL grantを信号割当部２０９へ出力する。また、制御信号受信部２０６は、DL assignmentが検出されたeCCEのeCCEインデックスを信号割当部２０９へ出力する。
【００７１】
誤り訂正符号化部２０７は、送信データ信号（ULデータ信号）を入力とし、その送信データ信号を誤り訂正符号化し、変調部２０８へ出力する。
【００７２】
変調部２０８は、誤り訂正符号化部２０７から受け取る信号を変調し、変調信号を信号割当部２０９へ出力する。
【００７３】
信号割当部２０９は、変調部２０８から受け取る信号を、制御信号受信部２０６から受け取るUL grantに従って割り当て、送信部２１０へ出力する。また、信号割当部２０９は、誤り訂正復号部２０４から受け取るＡ／Ｎ信号を、所定のリソースに割り当てる。具体的には、信号割当部２０９は、送信データ信号が存在する場合には当該送信データ信号にＡ／Ｎ信号を多重して、送信部２１０へ出力する。一方、信号割当部２０９は、送信データ信号が存在しない場合には、制御信号受信部２０６から受け取るeCCEインデックスに基づいてPUCCHリソースを特定し、特定したPUCCHリソースにＡ／Ｎ信号を割り当て、送信部２１０へ出力する。
【００７４】
送信部２１０は、入力信号に対してアップコンバート等の送信処理を施し、送信する。
【００７５】
［基地局１００及び端末２００の動作］
以上の構成を有する基地局１００及び端末２００の動作について説明する。
【００７６】
基地局１００及び端末２００は、１つの端末２００に対して、端末２００宛ての制御信号を割り当てる候補である複数のサーチスペース（例えば、サーチスペース１及びサーチスペース２）をePDCCH領域に設定する。この際、基地局１００及び端末２００は、サーチスペース１を構成する複数のeCCEに対してeCCEインデックス（番号）を昇順に割り振り、サーチスペース２を構成する複数のeCCEに対して、上記サーチスペース１の複数のeCCEインデックスよりも大きい番号を割り振る。
【００７７】
なお、上述したように、制御情報が割り当てられたeCCEインデックスに対して、当該制御情報が割当指示する下り回線データに対するＡ／Ｎ信号の送信に用いられるPUCCHリソースは１対１で関連付けられている（図３参照）。
【００７８】
ここで、上記サーチスペース１は、端末２００間で共有されることが多いサーチスペースである。例えば、サーチスペース１は、複数の端末２００間で共有されることが多いサーチスペース（上述したCommonサーチスペース）である。または、サーチスペース１及びサーチスペース２は、端末２００の各々に個別に設定されるUE specificサーチスペースであって、サーチスペース１は、サーチスペース２よりも優先して使用されるサーチスペース（主に使用されるサーチスペース）である。または、端末２００がPCell及びSCellから構成される複数のCCを用いて通信を行う場合、サーチスペース１はPCell用の制御情報を割り当てるサーチスペースであり、サーチスペース２は、SCell用の制御情報を割り当てるサーチスペースである。
【００７９】
図９は、本実施の形態におけるサーチスペースの設定方法を示す。図９では、図４と同様、ePDCCHに対してlocalized割当が適用され、各端末２００（ＵＥ１及びＵＥ２）にそれぞれサーチスペース１（ＳＳ１）及びサーチスペース２（ＳＳ２）が設定されている。サーチスペース１はＵＥ１とＵＥ２とで共有され、PRBペア#2、8、14、20に割り当てられている。また、ＵＥ１のサーチスペース２は、PRBペア#0、1、22、23に割り当てられ、ＵＥ２のサーチスペース２はPRBペア#3、9、15、21に割り当てられている。ただし、各端末２００は、自機のサーチスペースのみを認識している。また、図９では、PRBペアあたり４個のeCCEが割り当てられる。
【００８０】
基地局１００及び各端末２００（ＵＥ１及びＵＥ２）は、各端末２００に設定されたサーチスペースのうち、まず、サーチスペース１のeCCEインデックスを決定し、その後、サーチスペース２のeCCEインデックスを決定する。すなわち、基地局１００及び各端末２００は、まず、サーチスペース１に対応するPRBペア番号の昇順にeCCEインデックスを割り振り、その後、サーチスペース２に対応するPRBペア番号の昇順にeCCEインデックスを割り振る。
【００８１】
したがって、ＵＥ１及びＵＥ２は、まず、サーチスペース１に対して、eCCE#0〜eCCE#15を割り振る。これにより、サーチスペース１に対応するPRBペア#2、8、14、20の順にeCCE#0〜eCCE#15が割り当てられる。
【００８２】
次いで、ＵＥ１及びＵＥ２は、サーチスペース２に対して、eCCE#16〜eCCE#31を割り振る。これにより、ＵＥ１のサーチスペース２に対応するPRBペア#0、1、22、23の順にeCCE#16〜eCCE#31が割り当てられる。また、ＵＥ２のサーチスペース２に対応するPRBペア#3、9、15、21の順にeCCE#16〜eCCE#31が割り当てられる。つまり、ＵＥ１及びＵＥ２では、サーチスペース２には、サーチスペース１のeCCEインデックスよりも大きいeCCEインデックスが割り振られる。
【００８３】
このようにすると、ＵＥ１及びＵＥ２の双方で共有されるサーチスペース１において、PRBペア#2、8、14、20にそれぞれ割り当てられるeCCEのeCCEインデックスは、ＵＥ１とＵＥ２とで同一となる。つまり、サーチスペース１では、ＵＥ１とＵＥ２とでPRBペア番号とeCCEインデックスとの関連付けが一致するので、ＵＥ１及びＵＥ２でのeCCEの使用と、eCCEインデックスに関連付けられたPUCCHリソースの使用とが一致する。よって、基地局１００は、eCCEの衝突のみを考慮することで、ＵＥ１とＵＥ２との間のPUCCHリソースの衝突を回避しつつ、ＵＥ１宛てのePDCCHとＵＥ２向けのePDCCHとを共有するサーチスペース１に割り当てることができるので、スケジューリングが容易になる。
【００８４】
以上のように、本実施の形態では、端末２００毎に複数のサーチスペースが設定される場合、少なくとも１つのサーチスペース（サーチスペース１）には、当該サーチスペース内で連続するeCCEインデックスが割り振られる。こうすることで、端末２００間で互いのサーチスペース設定を認識していなくても、端末２００間で同一（共通）のサーチスペースに対して同一のeCCEインデックスが割り振られやすくなる。換言すると、端末２００間で同一（共通）のサーチスペースに対して異なるeCCEインデックスが割り当てられにくくなる。
【００８５】
上述したように、端末２００間で共有されるサーチスペースに、異なるeCCEインデックスが割り振られると、eCCEインデックスとPRBペアとの対応関係が端末２００毎に異なってしまい、PUCCHリソースの衝突及び必要なリソース量の増大が生じる（例えば、図４参照）。
【００８６】
これに対して、本実施の形態では、少なくとも１つのサーチスペース（サーチスペース１）に対して連続するeCCEインデックスが割り振られ、他のサーチスペース（サーチスペース２）に対して当該少なくとも１つのサーチスペースのeCCEインデックスよりも大きいeCCEインデックスが割り振られる。これにより、サーチスペース１を共有する端末２００間では、他のサーチスペース２のeCCEインデックスの割当に関わらず、サーチスペース１でのeCCEインデックスとPRBペアとの対応が一致する。つまり、サーチスペース１に関して、eCCEインデックスの衝突とPUCCHリソースの衝突とが揃う。よって、基地局１００は、端末２００間でのeCCEインデックスの衝突のみを考慮してスケジューリングを行う。これにより、端末２００間でのPUCCHリソースの衝突を回避することができる。
【００８７】
また、端末２００間において、サーチスペース１でのeCCEの衝突とPUCCHリソースの衝突とが一致するので、サーチスペース１用に必要となるPUCCHリソースは、サーチスペース１のeCCEインデックス数より多くならない。つまり、PUCCHリソース量の増加を抑えることができる。
【００８８】
よって、本実施の形態によれば、単一の端末に対するePDCCHについて複数のサーチスペースが設定される場合でも、PUCCHリソースの増加を抑えつつ、端末間のPUCCHリソースの衝突を回避することができる。
【００８９】
更に、端末２００間で共有されるサーチスペースに、異なるeCCEインデックスが割り振られると、同一PRBペアに対応するeCCEインデックスが端末２００間で異なってしまう場合がある。例えば、図４において、PRBペア#20に対応するeCCEインデックスは、ＵＥ１ではeCCE#20〜#23であるのに対して、ＵＥ２ではeCCE#24〜#27である。この場合、ＵＥ１向けのePDCCHにeCCE#20が使用されると、eCCE#20に関連付けられたPUCCHリソースが使用されるので、ＵＥ２向けにeCCE#20を使用すると、PUCCHリソースの衝突が生じてしまう。さらに、ＵＥ１向けのePDCCHにeCCE#20が使用されると、同一PRBペア#20に割り当てられた、ＵＥ２向けのePDCCHにはeCCE#24を使用することができない。そのため、eCCE#24に関連付けられたPUCCHリソースも使用されず、無駄になる。つまり、図４では、端末２００間で同時に使用できない複数のeCCEインデックスが存在する。
【００９０】
これに対して、本実施の形態では、上述したように、サーチスペース１を共有する端末２００間では、サーチスペース１でのeCCEインデックスとPRBペアとの対応が一致する。よって、本実施の形態によれば、上記端末２００間で同時に使用できないeCCEインデックスの組み合わせは存在しなくなる。
【００９１】
また、本実施の形態によれば、端末２００間でサーチスペース１用のeCCEインデックスが揃い、かつ、各端末２００のサーチスペース２用のeCCEインデックスはサーチスペース１用のeCCEインデックスと異なるeCCEインデックスが割り振られている。よって、端末２００間でもサーチスペース１とサーチスペース２とのeCCEの衝突を回避することができる。
【００９２】
また、本実施の形態によれば、端末２００の各々に設定されているサーチスペース１を他の端末２００に通知しなくても、端末２００間では、同一eCCEインデックスが割り振られたサーチスペース１を共有することができる。
【００９３】
［実施の形態２］
本実施の形態では、１つの端末２００に設定された複数のサーチスペースの一部が同一PRBペアに重複して割り当てられる場合について説明する。なお、本実施の形態に係る基地局及び端末は、実施の形態１に係る基地局１００及び端末２００と基本構成が共通するので、図７及び図８を援用して説明する。
【００９４】
ePDCCH候補に使用されるeCCEは、アグリゲーションレベルに応じて異なることが検討されている。従って、サーチスペース内では、上位レイヤから指示されたPRBペア番号に対応する全てのeCCEがePDCCH候補として使用されるわけではない。よって、複数のサーチスペース間で同一PRBペアを共有し、同一PRBペア内の異なるリソースにそれぞれ対応する複数のeCCEをePDCCH候補として追加することにより、端末２００に対するePDCCH候補数を維持しつつ、他の端末２００のeCCEとの衝突確率（ブロッキング確率）を低減することができる。また、複数のサーチスペース間で同一PRBペアを共有することで、ePDCCHのサーチスペースに割り当てられるPRBペア総数を削減でき、PUSCH領域をより多く確保できるので、上り回線でのスループットを改善することができる。
【００９５】
本実施の形態では、１つの端末２００に対して設定された複数のサーチスペースの一部が同一PRBペアに重複して割り当てられる場合、当該複数のサーチスペースが割り当てられるPRBペアでは、サーチスペース番号の低いサーチスペースのeCCEインデックスに従って、他のサーチスペースのeCCEインデックスが割り振られる。例えば、端末２００に対してサーチスペース１とサーチスペース２とが同一PRBペアに割り当てられた場合、当該PRBペアでは、サーチスペース２のeCCEインデックスは、サーチスペース１のeCCEインデックスと同一となる。
【００９６】
図１０は、１つの端末２００に対してサーチスペース１（ＳＳ１）及びサーチスペース２（ＳＳ２）が設定された場合におけるeCCEの割当例を示す。図１０では、サーチスペース１とサーチスペース２とに対してPRBペア#20が共通に割り当てられている。また、図１０では、図９と同様、基地局１００及び端末２００は、サーチスペース１において、eCCEインデックス（eCCE#0〜#15）を昇順に割り振る。これにより、サーチスペース１では、PRBペア#20に対してeCCE#12〜#15が割り当てられる。
【００９７】
一方、基地局１００及び端末２００は、サーチスペース２では、PRBペア#20に対応するeCCEインデックスとして、サーチスペース１のeCCEインデックスに従って、eCCEインデックス#12〜#15を割り振る。そして、端末２００は、サーチスペース２において、PRBペア#20に対応するeCCEインデックス以外のeCCEインデックスを昇順に割り振る。これにより、サーチスペース２では、PRBペア#0,1に対してeCCE#16からeCCE#26が割り当てられ、PRBペア#20に対してeCCE#12〜#15が割り当てられ、PRBペア#23に対してeCCE#24〜#27が割り当てられる。
【００９８】
つまり、基地局１００及び端末２００は、サーチスペース２の複数のeCCEのうち、サーチスペース１の複数のeCCEの中の特定のeCCEと同一のPRBペアに割り当てられたeCCEに対して、上記特定のeCCEと同一eCCEインデックスを割り振る。また、基地局１００及び端末２００は、サーチスペース２において、上記特定のeCCEと同一eCCEインデックスが割り振られたeCCE以外のeCCEに対して、サーチスペース１のeCCEインデックスより大きいeCCEインデックスを割り振る。
【００９９】
こうすることで、サーチスペース１（つまり、他の端末２００と共有されやすいサーチスペース）におけるeCCEインデックスを、実施の形態１（図９）と同様、サーチスペース１を共有する端末２００間で一致させつつ、端末２００に設定されるeCCEインデックスの総数を減らすことができる。例えば、実施の形態１（図９）では、ＵＥ１に対して３２個のeCCEインデックスが割り振られているのに対して、本実施の形態（図１０）では、ＵＥ１に対して２８個のeCCEインデックスが割り振られている。つまり、図１０では、図９と比較して、ＵＥ１が使用するeCCEインデックスを４つ削減することができる。これにより、eCCEに関連付けられるPUCCHリソース量も低減できるので、上り回線でのスループットが改善される。
【０１００】
さらに、本実施の形態によれば、サーチスペース１とサーチスペース２とでPRBペアを共有する分、端末２００に対してサーチスペースとして割り当てられるPRBペアを削減することができる。例えば、実施の形態１（図９）では、ＵＥ１に対して８個のPRBペアが割り当てられたのに対して、本実施の形態（図１０）では、ＵＥ１に対して、１個少ない、７個のPRBペアが割り当てられる。これにより、本実施の形態では、実施の形態１と比較してPUSCH領域をより多く確保できるので、上り回線でのスループットが改善される。
【０１０１】
なお、図１０に示すeCCEの割当の代わりに、基地局１００及び端末２００は、図９と同様にしてサーチスペース１及びサーチスペース２に対するeCCEインデックスを割り振った後に、サーチスペース２において、双方のサーチスペースに共通に割り当てられたPRBペアに対応するeCCEインデックスのみ、サーチスペース１のeCCEインデックスに変更してもよい。例えば、図１１に示すように、まず、サーチスペース２に対して、図９と同様にeCCE#16〜31が昇順に割り振られる。次いで、PRBペア#20に対応するeCCE#24、25、26、27の部分のみ、サーチスペース１のPRBペア#20に対応するeCCE#12、13、14、15に変更される。
【０１０２】
こうすることで、端末２００では、ePDCCHの割当によらず、eCCE#24、25、26、27に対応するPUCCHリソースが使用されない。よって、例えば、基地局１００は、eCCE#24、25、26、27に対応するPUCCHリソースを、エクスプリシット（explicit）PUCCHリソースとして割り当てやすくなる。explicit PUCCHリソースとは、上位レイヤのシグナリングにより予め指定されるPUCCHリソースであり、CA適用時にクロスキャリアスケジューリングが行われない場合のチャネルセレクション時、又は、リレー端末用等、Implicitリソースの代わりに使用されるPUCCHリソースである。
【０１０３】
また、サーチスペース２において、サーチスペース１と共通に割り当てられたPRBペアに対応するeCCEインデックスを、サーチスペース１のeCCEインデックスには変更せずに（例えば、図９のeCCEインデックスと同一とし）、当該eCCEインデックスに対するPUCCHリソースへの関連付けのみ、サーチスペース１とサーチスペース２とで同一にしてもよい。例えば、サーチスペース２に割り当てられたeCCE#16〜32のうち、サーチスペース１と共通のPRBペア#20に対応するeCCE#24、25、26、27に関連付けられたPUCCHリソースを、サーチスペース１のPRBペア#20に対応するeCCE#12、13、14、15に関連付けられたPUCCHリソースと同一にすればよい。
【０１０４】
［実施の形態３］
本実施の形態では、ePDCCHに対してdistributed割当が適用される場合について説明する。なお、本実施の形態に係る基地局及び端末は、実施の形態１に係る基地局１００及び端末２００と基本構成が共通するので、図７及び図８を援用して説明する。
【０１０５】
distributed割当では、eCCEが複数のPRBペアに割り当てられる。具体的には、１つのeCCEは異なるPRBペアに属する複数のeREG（PRBペアを分割したリソース）へ割り当てられる。PRBペアの分割数（PRBペアあたりのeREG数）は、8、12、16、24、36などが考えられている。１つのeCCEが割り当てられるリソースサイズがPRBペアを４分割したリソースである場合、PRBペアを8、12、16、24、36分割する場合、１つのeCCEは、それぞれ2、3、4、6、9分割され、当該eCCEの分割数に相当する異なるPRBペアにdistributed割当されることが考えられる。このeCCEの分割数は、eCCEのダイバーシチオーダと呼ばれることもある。
【０１０６】
例えば、図１２に示すように、PRBペアを８分割する場合、PRBペアあたりのeREG数は８個であり、１つのeCCEは２分割されて、異なるPRBペアの２つのeREGに割り当てられる。図１２では、eCCE#N〜N+7（図１２ではN=0,8）の単位で２つのPRBペアにdistributed割当される。例えば、図１２に示すように、eCCE#0〜7は、PRBペア#AとPRBペア#Cとにそれぞれ割り当てられ、eCCE#8〜15は、PRBペア#BとPRBペア#Dとに割り当てられる。
【０１０７】
同様に、例えば、図１３に示すように、PRBペアを１６分割する場合、PRBペアあたりのeREG数は１６個であり、１つのeCCEは４分割されて、異なるPRBペアの４つのeREGに割り当てられる。図１３では、eCCE#N〜N+15（図１３ではN=0）の単位で４つのPRBペアにdistributed割当される。例えば、図１３に示すように、eCCE#0〜15は、PRBペア#A、＃B、＃C、＃Dにそれぞれ割り当てられる。
【０１０８】
上述したように、distributed割当では、１つのeCCEが複数のPRBペアに割り当てられる。また、実施の形態１と同様、１つの端末２００に対して複数のサーチスペース（サーチスペース１及びサーチスペース２）が設定され、かつ、実施の形態２と同様、１つの端末２００に設定された複数のサーチスペース間で同一のPRBペアが共通に割り当てられる場合がある。そこで、本実施の形態では、基地局１００及び端末２００は、各サーチスペースの或る１つのeCCEが割り当てられる複数のPRBペアのうち、いずれか１つでもサーチスペース１とサーチスペース２とに重複して割り当てられているPRBペアが存在する場合、当該PRBペアに対応するサーチスペース２のeCCEインデックスを、サーチスペース１のeCCEインデックスと同一とする。
【０１０９】
以下、一例として、PRBペアの分割数が８分割の場合（eCCEのダイバーシチオーダ：２）、及び、１６分割の場合（eCCEのダイバーシチオーダ：４）におけるサーチスペースの設定方法について図１４及び図１５を用いて説明する。
【０１１０】
なお、図１４及び図１５では、ＵＥ１にサーチスペース１（ＳＳ１）及びサーチスペース２（ＳＳ２）が設定されている。
【０１１１】
＜分割数８の場合（図１４）＞
図１４では、サーチスペース１はPRBペア#2、8、14、20に割り当てられ、サーチスペース２はPRBペア#0、10、16、20に割り当てられている。つまり、PRBペア#20は、サーチスペース１とサーチスペース２とで重複して割り当てられている。
【０１１２】
ＵＥ１は、まず、サーチスペース１の１６個のeCCEに対して昇順にeCCEインデックス（eCCE#8〜eCCE#15）を割り振る。これにより、PRBペア#2、14に対してサーチスペース１のeCCE#0〜eCCE#7が割り当てられ、PRBペア#8、20に対してサーチスペース１のeCCE#8〜eCCE#15が割り当てられる。
【０１１３】
次いで、ＵＥ１は、サーチスペース２のeCCEインデックスを決定する。ここで、サーチスペース２に割り当てられたPRBペアであるPRBペア#10、#20の組み合わせには、サーチスペース１に割り当てられたPRBペア#20が含まれている。そこで、ＵＥ１は、PRBペア#10、#20に対応する、サーチスペース２のeCCEインデックスとして、サーチスペース１のPRBペア#20を含む組み合わせであるPRBペア#8、#20に対応するeCCEインデックス（eCCE#8〜eCCE#15）を割り振る。
【０１１４】
一方、サーチスペース２に割り当てられたPRBペアであるPRBペア#0、#16の組み合わせには、サーチスペース１に割り当てられたPRBペアは含まれていない。そこで、ＵＥ１は、PRBペア#0、#16に対して、新たにCCEインデックス（eCCE#16〜eCCE#23）を割り振る。
【０１１５】
＜分割数１６の場合（図１５）＞
図１５では、サーチスペース１はPRBペア#2、8、14、20に割り当てられ、サーチスペース２はPRBペア#0、8、16、20に割り当てられている。つまり、PRBペア#8、#20は、サーチスペース１とサーチスペース２とで重複して割り当てられている。
【０１１６】
ＵＥ１は、まず、サーチスペース１の１６個のeCCEに対して昇順にeCCEインデックス（eCCE#0〜eCCE#15）を割り振る。これにより、PRBペア#2、8、14、20に対してサーチスペース１のeCCE0〜eCCE#15が割り当てられる。
【０１１７】
次いで、ＵＥ１は、サーチスペース２のeCCEインデックスを決定する。ここで、サーチスペース２に割り当てられたPRBペア#0、8、16、20の組み合わせには、サーチスペース１に割り当てられたPRBペア#8、#10を含む。そこで、ＵＥ１は、サーチスペース２のeCCEインデックスとして、サーチスペース１のCCEインデックス（eCCE#0〜eCCE#15）と同一eCCEインデックスを割り振る。
【０１１８】
このように、基地局１００及び端末２００は、サーチスペース２の複数のeCCEのうち、割り当てられた複数のPRBペアのうち少なくとも１つのPRBペアがサーチスペース１の複数のeCCEの中の特定のeCCEに割り当てられたPRBペアと同一であるeCCEに対して、上記特定のeCCEと同一eCCEインデックスを割り振る。また、基地局１００及び端末２００は、サーチスペース２の複数のeCCEのうち、上記特定のeCCEと同一eCCEインデックスを割り振られたeCCE以外のeCCEに対して、サーチスペース１のeCCEインデックスより大きいeCCEインデックスを割り振る。
【０１１９】
なお、上述したように、distributed割当では、eCCEは、PRBペアの分割数のeCCE単位（例えば、８分割の場合には８eCCE単位、１６分割の場合には１６eCCE単位）で、複数のPRBペアにdistributed割当される。よって、図１４又は図１５に示すように、サーチスペース２において、サーチスペース１のeCCEインデックスと同一eCCEインデックスが割り振られるeCCEもPRBペアの分割数のeCCE単位となる。
【０１２０】
このように、サーチスペース１及びサーチスペース２に対してdistributeｄ割当が適用された場合でも、複数のサーチスペースに対して重複するPRBペアが割り当てられた場合には、当該PRBペアに対応するeCCEインデックスは複数のサーチスペース間で同一となる。これにより、端末２００に設定されたサーチスペース（ＳＳ１及びＳＳ２）全体のeCCEインデックスの総数を低減でき、eCCEインデックスに対応するPUCCHリソース量を低減できる。よって、eCCEに関連付けられるPUCCHリソース量も低減できるので、上り回線でのスループットが改善される。
【０１２１】
なお、本実施の形態では、周波数領域におけるdistributed割当について説明したが、distributed割当が適用される領域は、時間領域であってもよく、周波数−時間領域であってもよい。
【０１２２】
［実施の形態４］
本実施の形態では、端末に設定される複数のePDCCH用サーチスペースにおいてlocalized割当とdistributed割当とが混在して適用される場合について説明する。なお、本実施の形態に係る基地局及び端末は、実施の形態１に係る基地局１００及び端末２００と基本構成が共通するので、図７及び図８を援用して説明する。
【０１２３】
localized割当とdistributed割当とを混在させる理由は、端末毎に割当方法（localized割当及びdistributed割当）を選択しつつ、ePDCCHに使用するPRBペア総数を削減するためである。
【０１２４】
しかしながら、localized割当では、ePDCCHを周波数帯域上の互いに近い位置にまとめて割り当て、distributed割当では、ePDCCHを周波数帯域上に分散させて割り当てる、という特性を保たなければならない。さらに、distributed割当では、同一eCCEをPRBペア毎の異なるリソース（eREG）に割り当てることで、チャネル推定精度及びOFDMシンボルあたりのパワーを平均化させる必要がある。チャネル推定精度は参照信号(RS)から離れるほど特性が劣化する。また、OFDMシンボル値のパワーには制限があるので、割り当てるOFDMシンボルにバラツキがあるとパワーブースティングがしにくくなる。
【０１２５】
このように、localized割当とdistributed割当とでは、PRBペアへのeCCEの割当ルールが異なる。
【０１２６】
図１６は、localized割当とdistributed割当とが混在して適用された場合におけるeCCEインデックス（図１６Ａ）及びPRBペア（図１６Ｂ）の対応関係の一例を示す。図１６Ａでは、サーチスペース１（ＳＳ１）に対してdistributed割当が適用され、サーチスペース２（ＳＳ２）に対してlocalized割当が適用される。以下、distributed割当が適用されるサーチスペース１のeCCEを単に「distributed eCCE」と呼び、localized割当が適用されるサーチスペース２のeCCEを単に「localized eCCE」と呼ぶことがある。
【０１２７】
なお、図１６Ａでは、サーチスペース１の１６個のeCCEに対してeCCE#0〜eCCE#15が割り振られている。また、図１６Ａでは、サーチスペース２の１６個のeCCEはサーチスペース１の１６個のeCCEと同一PRBペア#A〜#Dに割り当てられるので、サーチスペース２の１６個のeCCEに対して、サーチスペース１の１６個のeCCEと同一eCCEインデックスであるeCCE#0〜eCCE#15が割り振られている。
【０１２８】
また、distributed eCCE及びlocalized eCCEの双方とも、同一の、eCCEインデックスとPUCCHリソースとの関連付け（例えば図３参照）が適用される。
【０１２９】
また、図１６Ｂに示される各ブロックはeREGを示し、ブロック内の数字は、そのeREGに割り当てられるdistributed eCCEインデックス（図１６Ａ参照）を示す。つまり、図１６Ｂでは、PRBペアあたり１６個のeREGに分割され、１つのdistributed eCCEは４つのPRBペアに割り当てられる。図１６Ｂに示すように、distributed割当では、PRBペア毎に異なるeREGが使用されている。ただし、eREGの実際の物理リソースの配置は図１６Ｂに限定されるものではなく、eREGを構成するREは別途予め定義される。
【０１３０】
また、図１６Ｂでは、PRBペアあたり４個のlocalized CCEが割り当てられる。例えば、図１６Ａに示すlocalized eCCE#3は、PRBペア#Aの最上段のリソース（distributed eCCE#3,7,11,15に対応する4つのeREGと同一リソース）に割り当てられる。同様に、図１６Ａに示すlocalized eCCE#7は、PRBペア#Bの最上段のリソース（distributed eCCE#15,6,14,7に対応する4つのeREGと同一リソース）に割り当てられる。他のlocalized eCCEについても同様である。
【０１３１】
また、図１６Ａに示すサーチスペース２（localized割当適用）において４種類の四角で囲まれた箇所は、PRBペアにおいて各localized eCCEが衝突するdistributed eCCE（図１６Ａではサーチスペース１のdistributed eCCE#3,7,11,15のみを示す）をそれぞれ表す。例えば、サーチスペース２のlocalized eCCE#7は、PRBペアにおいて、サーチスペース１のdistributed eCCE#7、#15と衝突する。同様に、localized eCCE#8は、PRBペアにおいてdistributed eCCE#3と衝突する。他のlocalized eCCEについても同様である。
【０１３２】
また、図１６Ａに示すサーチスペース１（distributed割当適用）において２種類の塗りつぶし領域は、PRBペアにおいてlocalized eCCE#3、#7が衝突するdistributed eCCEをそれぞれ表す。例えば、サーチスペース２のlocalized eCCE#3はPRBペアにおいて、サーチスペース１のdistributed eCCE#3,7,11,15と衝突する。同様に、localized eCCE#7はPRBペアにおいてdistributed eCCE#6,7,14,15と衝突する。
【０１３３】
図１６Ａ及び図１６Ｂに示すように、localized eCCE#3が端末２００向けに使用される場合、同時に使用するとPRBペアで衝突してしまうdistributed eCCE#3、#7、#11、#15は使用できない。一方、distributed eCCE#3、#7、#11、#15を使用しないことでlocalized eCCE#3が使用可能となるものの、eCCE#3以外の他のeCCEインデックス（eCCE#7、#11、#15）が割り振られたlocalized eCCEは使用できない。例えば、distributed eCCE #3、#7、#11、#15が使用されない場合でも、localized eCCE#7を使用するためには、新たにdistributed eCCE#6、#14の使用も回避しなければならない。
【０１３４】
つまり、図１６Ａ及び図１６Ｂにおいて、localized eCCE#3はdistributed eCCE #3、7、11、15によって使用を制限（ブロッキング）されるのに対して、localized eCCE#7はdistributed eCCE #6、7、14、15によって使用を制限（ブロッキング）される。これは、localized eCCEがブロッキングするdistributed eCCEと、distributed eCCEがブロッキングするlocalized eCCEと、の間でeCCEインデックスが一致せず、ばらけてしまうからである。具体的には、図１６Ａ及び図１６Ｂにおいて、localized eCCE#3はdistributed eCCE #3、7、11、15の使用を制限（ブロッキング）するのに対して、distributed CCE#3はlocalized eCCE#3、5、8、14の使用を制限する。同様に、localized eCCE#7はdistributed eCCE #6、7、14、15の使用を制限（ブロッキング）するのに対して、distributed CCE#7はlocalized eCCE#3、7、9、14の使用を制限する。
【０１３５】
このように、図１６Ａ及び図１６Ｂに示す一例では、distributed eCCEが衝突するlocalized eCCEと、localized eCCEが衝突するdistributed eCCEと、に規則性がなく、一方の割当方法が適用されたサーチスペースで選択されるeCCEによって使用できなくなるeCCE（ブロッキングされるeCCE）にばらつきがある。よって、distributed eCCE及びlocalized CCEの双方とも、同一のPUCCHリソースとの関連付け（例えば図３参照）が適用されると、双方のサーチスペースに割り当てられたeCCEに関連付けられたPUCCHリソースの使用の制限（ブロッキング）にもばらつきが生じてしまい、PUCCHの利用効率が低下してしまう。
【０１３６】
ここで、distributed eCCEは分散してM個のPRBペアに割り当てられるので、或るdistributed eCCEによって少なくともM個のlocalized eCCEがブロッキングされる。また、localized eCCEはM個のeREGに相当するリソースに割り当てられるので、或るlocalized eCCEによってM個のdistributed eCCEがブロッキングされる。また、distributed eCCE及びlocalized CCEの双方とも、同一のPUCCHリソースとの関連付け（例えば図３参照）が適用される。
【０１３７】
そこで、本実施の形態では、localized割当とdistributed割当との間で、PRBペアにおいてM個のeCCE単位で衝突するようなeCCE割当を規定する。Mは、distributed割当時に、eCCEが分割される分割数（eCCEのダイバーシチオーダ）を示す。例えば、PRBペアの分割数が8、12、16、24、36の各々について、M=2、3、4、6、9となる。
【０１３８】
具体的には、本実施の形態では、基地局１００及び端末２００は、特定のM個のlocalized eCCEが割り当てられるリソースを、当該M個のlocalized eCCEと同一のeCCEインデックスが割り振られたM個のdistributed eCCE（つまり、当該M個のlocalized eCCEをブロッキングするdistributed eCCE）が割り当てられたリソースと同一リソースに割り当てる。つまり、端末２００に設定されたサーチスペース１及びサーチスペース２においてlocalized割当とdistributed割当とが混在して適用される場合、distributed eCCEが分散して割り当てられる複数のPRBペアの数（M個）と同数の特定のlocalized eCCEは、上記特定のlocalized eCCEと同一eCCEインデックスが割り振られたdistributed eCCEが割り当てられたeREGと同一のリソース（RE）に割り当てられる。
【０１３９】
例えば、基地局１００及び端末２００は、distributed eCCE#N、N+4、N+8、N+12が割り当てられるリソース（eREG）には、localized eCCE#N、N+4、 N+8、 N+12をそれぞれ割り当てる。つまり、distributed割当とlocalized割当とにおいてeCCEが分割される分割数MのeCCEが同一リソースに割り当てられる。
【０１４０】
図１７は、本実施の形態におけるeCCEインデックス（図１７Ａ）及びPRBペア（図１７Ｂ）の対応関係を示す。図１７Ｂでは、図１６Ｂと同様、PRBペアあたり４個のlocalized CCEインデックスが割り当てられる。また、図１７Ｂでは、図１６Ｂと同様、PRBペアが１６個のeREGに分割され、distributed割当におけるeCCEの分割数（eCCEのダイバーシチオーダ）は４つである（M=4）。また、図１７Ａでは、実施の形態２と同様、サーチスペース１とサーチスペース２とにおいて同一PRBペア#A〜#Dが割り当てられ、双方のサーチスペースには同一eCCEインデックス（eCCE#0〜#15）が割り振られる。
【０１４１】
図１７Ａ及び図１７Ｂでは、PRBペアにおけるdistributed eCCEの割当は図１６Ｂと同一である。つまり、図１７Ｂにおいて、distributed eCCE#3、#7、#11、#15は、PRB ペア#A、B、C、D内のリソース（eREG）に割り当てられていて、PRBペア毎にリソース（eREG）の位置が異なる。
【０１４２】
一方、localized eCCE#3、#7、#11、#15は、PRBペア#A、B、C、Dにおいて、distributed eCCE#3、#7、#11、#15が割り当てられるリソース（eREG）にそれぞれ割り当てられる。例えば、localized eCCE#7は、PRBペア#Bにおける、distributed eCCE#3,7,11,15に対応する4つのeREGと同一リソースに割り当てられる。同様に、localized eCCE#11は、PRBペア#Cにおける、distributed eCCE#3,7,11,15に対応する4つのeREGと同一リソースに割り当てられる。localized eCCE#3,15についても同様である。
【０１４３】
こうすることで、或るlocalized eCCEがブロッキングするM個のdistributed eCCEのeCCEインデックスと、当該localized eCCEと同一eCCEインデックスを有するdistributed eCCEがと同一eCCEインデックスを有するlocalized eCCEがブロッキングするM個のlocalized eCCEインデックスとが一致する。例えば、図１７Ａ及び図１７Ｂにおいて、localized eCCE#3（又は#7,11,15）はdistributed eCCE #3、7、11、15をブロッキングし、distributed eCCE#3（又は#7,11,15）はlocalized eCCE #3、7、11、15をブロッキングする。
【０１４４】
これにより、distributed eCCEによって使用できなくなる（ブロッキングされる）localized eCCEの数をM個に抑えることができる。ここで、上述したように、Mはdistributed eCCEが分散配置されるPRBペア数に相当するので、或るdistributed eCCEの使用によって少なくともM個のlocalized eCCEはブロッキングされる。つまり、本実施の形態によれば、distributed eCCEによって使用できなくなるlocalized eCCEの数を最小限に抑えることができる。これにより、PUCCHリソースのブロッキング数も最小限に抑えることができる。
【０１４５】
なお、図１７では、localized eCCE#3,7,11,15及びdistributed eCCE#3,7,11,15の場合（つまり、N=3）について説明したが、他のeCCE（N=0,1,2）についても同様である。
【０１４６】
このようにして、本実施の形態では、localized割当とdistributed割当とで同一eCCEインデックスが割り当てられるPRBペア内のリソースを共通化させる。これにより、localized割当とdistributed割当とではPRBペアでのeCCEの割当ルールが異なるものの、eCCEインデックスの衝突とPUCCHリソースの衝突とが一致する。よって、本実施の形態によれば、PUCCHでの無駄なリソース割当が低減され、PUCCHの利用効率を向上させることができる。
【０１４７】
例えば、基地局１００は、各端末２００に対してサーチスペース１及びサーチスペース２を設定し、各端末２００の回線品質又はフィードバック情報の信頼性などに基づいて、distributed割当とlocalized割当とを切り替えることが容易となる。
【０１４８】
なお、本実施の形態では、１つの端末２００に設定された複数のサーチスペースに異なる割当方法が適用される場合について説明した。しかし、本実施の形態は、これに限らず、例えば、distributed割当をＵＥ１に適用し、localized割当をＵＥ２に適用し、それぞれのサーチスペースのeCCEに対応するPRB ペアを同一PRBペアとする場合にも効果的である。
【０１４９】
また、本実施の形態では、PRBペアを１６分割する場合（M=4）について説明したが、これに限らない。例えば、PRBペアを８分割する場合（M=2）の場合、基地局１００及び端末２００は、distributed eCCE#N、N+4が割り当てられるリソースに、localized eCCE#N、N+4を配置する。図１８Ａ及び図１８Ｂは、M=2の場合のサーチスペース設定例を示す。図１８Ａ及び図１８Ｂでは、distributed eCCE#3,7がPRBペア#A、#Cに割り当てられており、PRBペア毎にリソース（eREG）の位置が異なる。一方、localized CCE#3,7は、それぞれPRBペア#A、#Cにおいて、distributed eCCE#3,7が割り当てられるリソースに割り当てられる。つまり、distributed割当とlocalized割当とにおいてeCCEが分割される分割数M=2個のeCCEが同一リソースに割り当てられる。このようにすると、distributed eCCEによって使用が制限される（ブロッキングされる）localized eCCEの数を制限でき、PUCCHリソースのブロッキング数も制限できる。例えば、localized eCCE#3はdistributed eCCE #3、7のみをブロッキングし、distributed eCCE#3はlocalized eCCE #3、7のみをブロッキングする。同様に、localized eCCE#7はdistributed eCCE #3、7のみをブロッキングし、distributed eCCE#7はlocalized eCCE #3、7のみをブロッキングする。
【０１５０】
さらに、実施の形態２（図１０）と同様に、１つの端末２００に設定される複数のサーチスペース間において、一部のeCCEに同一PRBペアが割り当てられ、その他のeCCEに異なるPRBペアが個別に割り当てられる場合（例えば、図１９参照）、上記同一PRBペアに割り当てられたlocalized eCCE（localized eCCE#3,7,11）には、本実施の形態と同様、当該localized eCCEがブロッキングするdistributed eCCE（distributed eCCE#3,7,11,15）と同一リソースを割り当て、上記異なるPRBペアに割り当てられるlocalized eCCE（localized eCCE#16〜#19）には、個別のPRBペア（PRBペア#D'）のリソースを割り当てる。このようにすると、上記異なるPRBペアに割り当てられたlocalized eCCEでは、distributed eCCEとの衝突を考慮せずに、eCCEをePDCCHの送信に使用できる。
【０１５１】
なお、本実施の形態では、周波数領域におけるdistributed割当及びlocalized割当について説明したが、distributed割当及びlocalized割当が適用される領域は、時間領域であってもよく、周波数−時間領域であってもよい。
【０１５２】
以上、本発明の各実施の形態について説明した。
【０１５３】
［他の実施の形態］
［１］上記各実施の形態では、１つのサーチスペースが１６個のeCCEで構成される場合について説明した。しかし、１つのサーチスペースを構成するeCCEの数は１６個に限定されない。また、１つの端末に設定されるサーチスペース１とサーチスペース２とでPRBペア数およびeCCE数を異ならせてもよい。
【０１５４】
［２］上記各実施の形態では、eCCEインデックスとPUCCHリソースとの関連付けによりPUCCHのInpulicitリソースが定まる場合について説明したが、eCCEインデックスの代わりに、eREGのインデックスを用いてもよい。
【０１５５】
［３］eCCEインデックスとPUCCHリソースとの関連付けによるImplicit割当方法から異なる割当方法へ変更する仕組みとして、（１）PUCCHリソースの開始位置を端末毎またはサーチスペース毎に通知する方法、（２）ARI（ACK/NACK Resource Indicator）をDL assignmentで通知し、ARIに対応するシフト量をPUCCHのImplicitリソースに加える方法、又は、（３）ARIに対応するexplicitリソースを使用する方法等があるが、これらの方法と上記実施の形態は併用することができる。例えば、方法（１）のようにPUCCHリソースの開始位置がサーチスペース毎に異なる場合、サーチスペース１とサーチスペース２とで共有するPRBペアでは、サーチスペース１のPUCCHリソースの開始位置に従ってもよい。また、方法（２）のようにARIでシフト量を通知する場合、当該シフト量として、PUCCHのシフト量を定義してもよく、eCCEインデックスのシフト量を定義してもよい。
【０１５６】
［４］上記各実施の形態では、ePDCCHのサーチスペースを設定する場合について説明したが、ePDCCHの代わりに、Relay用の制御信号であるR-PDCCHにも上記サーチスペースの設定方法を適用することができる。
【０１５７】
［５］上記各実施の形態において、アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１５８】
例えば3GPP LTEにおいては、アンテナポートが何本の物理アンテナから構成されるかは規定されず、基地局が異なる参照信号（Reference signal）を送信できる最小単位として規定されている。
【０１５９】
また、アンテナポートはプリコーディングベクトル（Precoding vector）の重み付けを乗算する最小単位として規定されることもある。
【０１６０】
［６］上記各実施の形態では、本発明をハードウェアで構成する場合を例にとって説明したが、本発明はハードウェアとの連携においてソフトウェアでも実現することも可能である。
【０１６１】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１６２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）又は、ＬＳＩ内部の回路セルの接続若しくは設定を再構成可能なリコンフィギュラブル・プロセッサを利用してもよい。
【０１６３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１６４】
以上、上記実施の形態に係る基地局装置は、端末装置に対して、制御情報を割り当てる候補である、第１のサーチスペース及び第２のサーチスペースを、データ割当可能領域内に設定する手段であって、前記第１のサーチスペース及び前記第２のサーチスペースの各々は複数の制御チャネル要素によって構成される、設定手段と、前記第１のサーチスペース及び前記第２のサーチスペースの各々に割り当てられた制御情報を送信する送信手段と、を具備し、前記制御情報が割り当てられた制御チャネル要素の番号と、下り回線データに対する応答信号の送信に用いられる上り回線のリソースとが１対１で関連付けられ、前記設定手段は、前記第１のサーチスペースを構成する複数の第１の制御チャネル要素に対して番号を昇順に割り振り、前記第２のサーチスペースを構成する複数の第２の制御チャネル要素に対して、前記複数の第１の制御チャネル要素に対して割り振られた番号よりも大きい番号又は同一番号を割り振る構成を採る。
【０１６５】
また、上記実施の形態に係る基地局装置では、前記複数の制御チャネル要素の各々は、物理リソースにそれぞれ割り当てられ、前記設定手段は、前記複数の第２の制御チャネル要素のうち、前記複数の第１の制御チャネル要素の中の第３の制御チャネル要素と同一の物理リソースに割り当てられた第４の制御チャネル要素に対して、前記第３の制御チャネル要素と同一番号を割り振り、前記第４の制御チャネル要素以外の制御チャネル要素に対して、前記複数の第１の制御チャネル要素に対して割り振られた番号より大きい番号を割り振る。
【０１６６】
また、上記実施の形態に係る基地局装置では、前記複数の制御チャネル要素の各々は、周波数領域で分散した複数の物理リソースに割り当てられ、前記設定手段は、前記複数の第２の制御チャネル要素のうち、割り当てられた前記複数の物理リソースのうち少なくとも１つの物理リソースが前記複数の第１の制御チャネル要素の中の第３の制御チャネル要素に割り当てられた物理リソースと同一である第４の制御チャネル要素に対して、前記第３の制御チャネル要素と同一番号を割り振り、前記第４の制御チャネル要素以外の制御チャネル要素に対して、前記複数の第１の制御チャネル要素に対して割り振られた番号より大きい番号を割り振る。
【０１６７】
また、上記実施の形態に係る基地局装置では、前記第１のサーチスペース及び前記第２のサーチスペースのうち、一方のサーチスペースを構成する複数の制御チャネル要素の各々は周波数領域で単一の物理リソースに割り当てられ、他方のサーチスペースを構成する複数の制御チャネル要素の各々は周波数領域で分散した複数の物理リソースに割り当てられ、前記単一の物理リソースを構成するリソース要素数と前記複数の物理リソースを構成するリソース要素数の合計とは同一であり、前記一方のサーチスペースにおける、前記複数の物理リソースの数と同数の特定の制御チャネル要素は、前記特定の制御チャネル要素と同一番号が割り振られた前記他方のサーチスペースの制御チャネル要素が割り当てられたリソース要素と同一リソース要素に割り当てられる。
【０１６８】
また、上記実施の形態に係る基地局装置では、前記第１のサーチスペースは複数の端末装置が共有するサーチスペースであり、前記第２のサーチスペースは前記端末装置に個別に設定されるサーチスペースである。
【０１６９】
また、上記実施の形態に係る基地局装置では、前記第１のサーチスペース及び前記第２のサーチスペースは、前記端末装置に個別に設定されるサーチスペースであって、前記第１のサーチスペースは、前記第２のサーチスペースよりも優先して使用される。
【０１７０】
また、上記実施の形態に係る基地局装置では、前記端末装置に対して、プライマリセル、及び、１つ又は複数のセカンダリセルから構成される複数のコンポーネントキャリア（CC：Component Carrier）を用いて通信を行い、前記第１のサーチスペースは、プライマリセル用の制御情報を割り当てるサーチスペースであり、前記第２のサーチスペースは、セカンダリセル用の制御情報を割り当てるサーチスペースである。
【０１７１】
また、上記実施の形態に係る端末装置は、制御情報を割り当てる候補である、第１サーチスペース及び第２サーチスペースを、データ割当可能領域内に設定する手段であって、前記第１のサーチスペース及び前記第２のサーチスペースの各々は複数の制御チャネル要素によって構成される、設定手段と、前記第１サーチスペースおよび前記第２サーチスペースの各々に割り当てられた制御情報を受信する受信手段と、を具備し、前記制御情報が割り当てられた制御チャネル要素の番号と、下り回線データに対する応答信号の送信に用いられる上り回線のリソースとが１対１で関連付けられ、前記設定手段は、前記第１のサーチスペースを構成する複数の第１の制御チャネル要素に対して番号を昇順に割り振り、前記第２のサーチスペースを構成する複数の第２の制御チャネル要素に対して、前記複数の第１の制御チャネル要素に対して割り振られた番号よりも大きい番号又は同一番号を割り振る構成を採る。
【０１７２】
また、上記実施の形態に係る端末装置では、前記複数の制御チャネル要素の各々は、物理リソースにそれぞれ割り当てられ、前記設定手段は、前記複数の第２の制御チャネル要素のうち、前記複数の第１の制御チャネル要素の中の第３の制御チャネル要素と同一の物理リソースに割り当てられた第４の制御チャネル要素に対して、前記第３の制御チャネル要素と同一番号を割り振り、前記第４の制御チャネル要素以外の制御チャネル要素に対して、前記複数の第１の制御チャネル要素に対して割り振られた番号より大きい番号を割り振る。
【０１７３】
また、上記実施の形態に係る端末装置では、前記複数の制御チャネル要素の各々は、周波数領域で分散した複数の物理リソースに割り当てられ、前記設定手段は、前記複数の第２の制御チャネル要素のうち、割り当てられた前記複数の物理リソースのうち少なくとも１つの物理リソースが前記複数の第１の制御チャネル要素の中の第３の制御チャネル要素に割り当てられた物理リソースと同一である第４の制御チャネル要素に対して、前記第３の制御チャネル要素と同一番号を割り振り、前記第４の制御チャネル要素以外の制御チャネル要素に対して、前記複数の第１の制御チャネル要素に対して割り振られた番号より大きい番号を割り振る。
【０１７４】
また、上記実施の形態に係る端末装置では、前記第１のサーチスペース及び前記第２のサーチスペースのうち、一方のサーチスペースを構成する複数の制御チャネル要素の各々は周波数領域で単一の物理リソースに割り当てられ、他方のサーチスペースを構成する複数の制御チャネル要素の各々は周波数領域で分散した複数の物理リソースに割り当てられ、前記単一の物理リソースを構成するリソース要素数と前記複数の物理リソースを構成するリソース要素数の合計とは同一であり、前記一方のサーチスペースにおける、前記複数の物理リソースの数と同数の特定の制御チャネル要素は、前記特定の制御チャネル要素と同一番号が割り振られた前記他方のサーチスペースの制御チャネル要素が割り当てられたリソース要素と同一のリソース要素に割り当てられる。
【０１７５】
また、上記実施の形態に係る端末装置では、前記第１のサーチスペースは複数の端末装置が共有するサーチスペースであり、前記第２のサーチスペースは前記端末装置に個別に設定されるサーチスペースである。
【０１７６】
また、上記実施の形態に係る端末装置では、前記第１のサーチスペース及び前記第２のサーチスペースは、前記端末装置に個別に設定されるサーチスペースであって、前記第１のサーチスペースは、前記第２のサーチスペースよりも優先して使用される。
【０１７７】
また、上記実施の形態に係る端末装置では、前記端末装置に対して、プライマリセル、及び、１つ又は複数のセカンダリセルから構成される複数のコンポーネントキャリア（CC：Component Carrier）を用いて通信を行い、前記第１のサーチスペースは、プライマリセル用の制御情報を割り当てるサーチスペースであり、前記第２のサーチスペースは、セカンダリセル用の制御情報を割り当てるサーチスペースである。
【０１７８】
また、上記実施の形態に係る送信方法は、端末装置に対して、制御情報を割り当てる候補である、第１のサーチスペース及び第２のサーチスペースを、データ割当可能領域内に設定し、前記第１のサーチスペース及び前記第２のサーチスペースの各々は複数の制御チャネル要素によって構成され、前記第１のサーチスペース及び前記第２のサーチスペースの各々に割り当てられた制御情報を送信し、前記制御情報が割り当てられた制御チャネル要素と、下り回線データに対する応答信号の送信に用いられる上り回線のリソースとが１対１で関連付けられ、前記設定手段は、前記第１のサーチスペースを構成する複数の第１の制御チャネル要素に対して番号を昇順に割り振り、前記第２のサーチスペースを構成する複数の第２の制御チャネル要素に対して、前記複数の第１の制御チャネル要素に対して割り振られた番号よりも大きい番号又は同一番号を割り振る。
【０１７９】
また、上記実施の形態に係る受信方法は、制御情報を割り当てる候補である、第１サーチスペース及び第２サーチスペースを、データ割当可能領域内に設定し、前記第１のサーチスペース及び前記第２のサーチスペースの各々は複数の制御チャネル要素によって構成され、前記第１サーチスペースおよび前記第２サーチスペースの各々に割り当てられた制御情報を受信し、前記制御情報が割り当てられた制御チャネル要素の番号と、下り回線データに対する応答信号の送信に用いられる上り回線のリソースとが１対１で関連付けられ、前記設定手段は、前記第１のサーチスペースを構成する複数の第１の制御チャネル要素に対して番号を昇順に割り振り、前記第２のサーチスペースを構成する複数の第２の制御チャネル要素に対して、前記複数の第１の制御チャネル要素に対して割り振られた番号よりも大きい番号又は同一番号を割り振る。
【０１８０】
２０１２年７月２５日出願の特願２０１２−１６４６１９の日本出願に含まれる明細書、図面および要約書の開示内容は、すべて本願に援用される。
【産業上の利用可能性】
【０１８１】
本発明は、単一の端末に対して、複数のePDCCH用サーチスペースを設定する場合に、端末間のPUCCHリソースの衝突を回避することができるものとして有用である。
【符号の説明】
【０１８２】
１００  基地局
２００  端末
１０１  割当情報生成部
１０２，２０５  設定部
１０３，２０７  誤り訂正符号化部
１０４，２０８  変調部
１０５，２０９  信号割当部
１０６，２１０  送信部
１０７，２０１  受信部
１０８，２０３  復調部
１０９，２０４  誤り訂正復号部
１１０  Ａ／Ｎ信号復調部
２０２  信号分離部
２０６  制御信号受信部
【図１】
2014017016.tif 000003
【図２】
2014017016.tif 000004
【図３】
2014017016.tif 000005
【図４】
2014017016.tif 000006
【図５】
2014017016.tif 000007
【図６】
2014017016.tif 000008
【図７】
2014017016.tif 000009
【図８】
2014017016.tif 000010
【図９】
2014017016.tif 000011
【図１０】
2014017016.tif 000012
【図１１】
2014017016.tif 000013
【図１２】
2014017016.tif 000014
【図１３】
2014017016.tif 000015
【図１４】
2014017016.tif 000016
【図１５】
2014017016.tif 000017
【図１６】
2014017016.tif 000018
【図１７】
2014017016.tif 000019
【図１８】
2014017016.tif 000020
【図１９】
2014017016.tif 000021
【手続補正書】
【提出日】平成28年2月5日(2016.2.5)
【手続補正２】
【補正対象書類名】明細書
【補正対象項目名】０００１
【補正方法】変更
【補正の内容】
【０００１】
本発明は、通信装置、通信方法及び集積回路に関する。
【手続補正３】
【補正対象書類名】明細書
【補正対象項目名】００３３
【補正方法】変更
【補正の内容】
【００３３】
本発明の目的は、単一の端末に対するePDCCHについて複数のサーチスペースが設定される場合でも、PUCCHリソースの増加を抑えつつ、端末間のPUCCHリソースの衝突を回避することができる通信装置、通信方法及び集積回路を提供することである。
【手続補正４】
【補正対象書類名】特許請求の範囲
【補正対象項目名】全文
【補正方法】変更
【補正の内容】
【特許請求の範囲】
【請求項１】
複数のＣＣＥから構成されるサーチスペースを設定する設定部と、
設定された前記サーチスペースに、制御情報を割り当てる割当部と、
を有し、
前記サーチスペースは、複数の第１ＣＣＥから構成され、前記複数の第１ＣＣＥのうちの１つを、１つのＰＲＢペアに対応させてlocalized送信するための第１サーチスペースと、複数の第２ＣＣＥから構成され、前記複数の第２ＣＣＥのうちの１つを、複数のＰＲＢペアに対応させてdistributed送信するための第２サーチスペースとを含み、
前記複数の第２ＣＣＥのうちの一部が、前記複数の第１ＣＣＥのうちの１つが対応する物理リソースと同一の物理リソースに対応し、前記複数の第２ＣＣＥのうちの前記一部が、前記複数の第１ＣＣＥのうちの他の一つが対応する物理リソースと同一の物理リソースに対応する、
通信装置。
【請求項２】
前記複数の第２ＣＣＥのうちの前記一部が、一つのＰＲＢペアにおいて、前記複数の第１ＣＣＥのうちの前記１つが対応する物理リソースと同一の物理リソースに対応し、前記複数の第２ＣＣＥのうちの前記一部が、他の一つのＰＲＢペアにおいて、前記複数の第１ＣＣＥのうちの前記他の一つが対応する物理リソースと同一の物理リソースに対応する、
請求項１に記載の通信装置。
【請求項３】
前記複数の第２ＣＣＥのうちの前記一部に含まれる第２ＣＣＥの数と、前記複数の第２ＣＣＥのうちの前記一部が対応する複数のＰＲＢペアにおける物理リソースと同一の物理リソースに対応する第１ＣＣＥの数とが等しい、
請求項１又は２に記載の通信装置。
【請求項４】
前記設定部は、前記サーチスペースとしてＰＲＢペアを設定し、前記ＰＲＢペアを構成する複数のＣＣＥに、0から連続する番号が付されている、
請求項１から３のいずれかに記載の通信装置。
【請求項５】
前記設定部は、前記第１サーチスペースが定義される第１ＰＲＢペアと、前記第２サーチスペースが定義される第２ＰＲＢペアとを設定し、前記第１ＰＲＢペアを構成する複数のＣＣＥに、0から連続する番号が付され、前記第２ＰＲＢペアを構成する複数のＣＣＥに、0から連続する番号が付されている、
請求項１から３のいずれかに記載の通信装置。
【請求項６】
設定された前記ＰＲＢペアに関する情報を端末に送信する送信部、をさらに有する、
請求項１から５のいずれかに記載の通信装置。
【請求項７】
前記物理リソースは、前記ＰＲＢペアを分割したＥＲＥＧを一単位として定義される、
請求項１から６のいずれかに記載の通信装置。
【請求項８】
１つの第１ＣＣＥが対応する１つのＰＲＢペアにおけるＥＲＥＧの数と、１つの第２ＣＣＥが対応する複数のＰＲＢペアにおけるＥＲＥＧの数とが等しい、
請求項７に記載の通信装置。
【請求項９】
１つの第１ＣＣＥは、１つのＰＲＢペアにおける４つのＥＲＥＧに対応し、１つの第２ＣＣＥは、４つのＰＲＢペアにおける４つのＥＲＥＧに対応する、
請求項７に記載の通信装置。
【請求項１０】
１つの第２ＣＣＥは、複数の異なるＰＲＢペアにおける複数の異なるＥＲＥＧに対応する、
請求項７から９のいずれかに記載の通信装置。
【請求項１１】
前記ＰＲＢペアは、１６個のＥＲＥＧから構成される、
請求項７から１０のいずれかに記載の通信装置。
【請求項１２】
前記サーチスペースはＰＤＳＣＨ領域に設定され、前記ＣＣＥはＥＣＣＥであり、前記制御情報は、ＥＰＤＣＣＨで送信される、
請求項１から１１のいずれかに記載の通信装置。
【請求項１３】
複数のＣＣＥから構成されるサーチスペースを設定する工程と、
設定された前記サーチスペースに、制御情報を割り当てる工程と、
を有し、
前記サーチスペースは、複数の第１ＣＣＥから構成され、前記複数の第１ＣＣＥのうちの１つを、１つのＰＲＢペアに対応させてlocalized送信するための第１サーチスペースと、複数の第２ＣＣＥから構成され、前記複数の第２ＣＣＥのうちの１つを、複数のＰＲＢペアに対応させてdistributed送信するための第２サーチスペースとを含み、
前記複数の第２ＣＣＥのうちの一部が、前記複数の第１ＣＣＥのうちの１つが対応する物理リソースと同一の物理リソースに対応し、前記複数の第２ＣＣＥのうちの前記一部が、前記複数の第１ＣＣＥのうちの他の一つが対応する物理リソースと同一の物理リソースに対応する、
通信方法。
【請求項１４】
複数のＣＣＥから構成されるサーチスペースを設定する処理と、
設定された前記サーチスペースに、制御情報を割り当てる処理と、
を制御し、
前記サーチスペースは、複数の第１ＣＣＥから構成され、前記複数の第１ＣＣＥのうちの１つを、１つのＰＲＢペアに対応させてlocalized送信するための第１サーチスペースと、複数の第２ＣＣＥから構成され、前記複数の第２ＣＣＥのうちの１つを、複数のＰＲＢペアに対応させてdistributed送信するための第２サーチスペースとを含み、
前記複数の第２ＣＣＥのうちの一部が、前記複数の第１ＣＣＥのうちの１つが対応する物理リソースと同一の物理リソースに対応し、前記複数の第２ＣＣＥのうちの前記一部が、前記複数の第１ＣＣＥのうちの他の一つが対応する物理リソースと同一の物理リソースに対応する、
集積回路。
【国際調査報告】
2014017016.tif 000022
2014017016.tif 000023
2014017016.tif 000024
2014017016.tif 000025